(57)【要約】【課題】特別遊技状態において遊技者の興趣が尽きないようにすることができる。【解決手段】パチンコ機１は、複数の遊技様態から択一的に選択したある遊技様態で遊技動作を実行する一方、内部的な抽選に当選した場合、この選択した遊技様態から他の遊技様態に移行する。これとともにパチンコ機１は、遊技の進行に応じて演出動作を実行する。このパチンコ機１の遊技者は、現在、複数の遊技様態のうちどの遊技様態であるか判別しにくいものの、演出動作の挙動などから、現在の遊技様態を推測しつつ遊技を継続する。ここで、パチンコ機１においては、始動入賞を契機として内部的な抽選を実行しているが、この抽選に当選した場合、通常遊技状態から特別遊技状態に移行する。この特別遊技状態においては、装飾ランプが特別なパターンで点灯・点滅し、演出的な効果が高まることで遊技意欲の向上につなげることができる。【選択図】図２
2007252575.tif 000002
【特許請求の範囲】
【請求項１】
複数が配列された状態で遊技機列を構成するとともに、前記遊技機列の中で個々の独立した遊技動作を実行する遊技機において、
遊技球を遊技領域に発射する発射手段と、
前記遊技領域内に発射された遊技球が始動入賞口に入賞したことを検出する入賞検出手段と、
前記始動入賞口への入賞を契機として内部的な抽選を実行し、この結果、前記内部的な抽選に当選していた場合、遊技者にとって有利な特別遊技状態に移行する遊技制御手段と、
前記始動入賞口への入賞を契機として、前記内部的な抽選の抽選結果に応じた停止図柄を表示する図柄表示手段と、
前記遊技機列を構成するいずれかの遊技機において内部的な抽選に当選していることを暗示する演出態様とした期待演出動作を実行する演出動作実行手段と、
前記内部的な抽選に当選している場合、前記内部的な抽選に当選していることを表す当選波の振幅を、前記遊技機列において連携して前記期待演出動作を実行すべき最も端に位置する最端遊技機までの距離に応じて決定する振幅決定手段と、
前記振幅決定手段によって決定された振幅として当選波を出力する一方、前記遊技機列を構成している遊技機のうち内部的な抽選に当選している当選遊技機が、前記遊技機列において連携して前記期待演出動作を実行すべき最も端に位置する最端遊技機までの距離に応じて定めた振幅として出力した、当選波を検出する波送受手段と、
前記波送受手段によって前記当選波が検出された場合、この当選波に関する振幅の減衰量に基づいて、自己が前記期待演出動作を実行すべき演出タイミングを決定するタイミング決定手段と、
前記波送受手段によって前記当選波を検出した場合、前記当選遊技機における内部的な抽選に当選している旨を、前記期待演出動作として前記演出タイミングにて前記演出動作実行手段に実行させる一方、自己の前記内部的な抽選において当選して前記当選波を出力している場合、隣接する遊技機に続くタイミングで、自己の前記内部的な抽選に当選した旨を、前記期待演出動作とは演出態様を異ならせた別の期待演出動作として前記演出動作実行手段に実行させる演出制御手段と、
を備えることを特徴とする遊技機。
【発明の詳細な説明】
【技術分野】
【０００１】
本発明は、遊技の進行に応じて内部的な抽選が実行される遊技機に関する。
【背景技術】
【０００２】
この種の遊技機として、例えばパチンコ機のように内部的な抽選として、遊技球が始動入賞口に入賞したことを契機として大当り抽選が実行される遊技機が知られている（特許文献１参照）。
この公知の遊技機では、通常の遊技状態（以下「通常遊技状態」と呼称する）において、遊技の進行に応じて演出動作を実行している他、遊技領域内に発射された遊技球が始動入賞口に入賞（以下「始動入賞」と呼称する）した場合に大当り抽選を実行している。
【０００３】
公知の遊技機においては、このような大当り抽選の実行に際し、その演出動作として装飾図柄を変動表示するとともに、大当り抽選において当選しているのかもしれないとの期待感を煽るいわゆるリーチ演出を実行する場合がある。このリーチ演出を実行すると、音や光の出力とともに、特別なキャラクタ画像の演出表示によって遊技者に大当りへの期待感を抱かせることができる。
【０００４】
【特許文献１】特開平９−２６２３４６号公報（図１６）
【発明の開示】
【発明が解決しようとする課題】
【０００５】
しかしながら、このようなリーチ演出は、遊技者に対して、大当り抽選において当選しているかもしれないとの期待感を抱かせるのが目的であり、実際に当選しているかどうかは定かではない。つまり公知の遊技機においては、仮にリーチ演出が実行された場合においても必ずしも大当り抽選に当選している確実性がないことから、このようなリーチ演出が繰り返し実行されるばかりでいつまでも当選しないと、この遊技者は、徐々にリーチ演出に対する信頼性に疑いを持つようになり、このような疑念を抱きつつさらにリーチ演出が続くと、興趣が低下してしまうおそれがある。
【０００６】
そこで、ホールにおける遊技機列を構成するいずれかの遊技機が大当り抽選において当選した場合、この当選した遊技機（以下「当選遊技機」と呼称する）が、その周囲の遊技機を巻き込んで、どの遊技機が当選しているのかに関して秘匿しつついずれかの遊技機が当選している事実のみを演出上明示することも考えられる。このようにすると、遊技機列を構成するいずれかの遊技機が当選する度に、この当選遊技機を含む遊技機列において各遊技者が、上記演出（以下「期待演出」と呼称する）に接していずれかの遊技者が確実に当選したことを認識するとともに、都合良く自己の遊技機において当選したのではないかとの淡い期待感を享受しつつ遊技を継続し、遊技意欲を維持することができる。
【０００７】
しかしながら、他の遊技者やホール来場者などが、遊技機列においてその期待演出が実行されることを繰り返し観察し続けると、そのうちその期待演出に規則性を見出し、遊技機列における当選遊技機がどの遊技機であるのかを発見してしまう者が現れるおそれがある。これでは、大当り抽選に当選していないことを知った遊技機の遊技者は、自らが当選による利益を享受することが確実にあり得ないことを認識し、ただちに興趣が低下してしまうことになる。
【０００８】
そこで本発明は、遊技に対する興趣が尽きないようにし、遊技者の遊技意欲を高めることができる技術を提供する。
【課題を解決するための手段】
【０００９】
（解決手段１）
本発明の遊技機は、複数が配列された状態で遊技機列を構成するとともに、前記遊技機列の中で個々の独立した遊技動作を実行する遊技機において、遊技球を遊技領域に発射する発射手段と、前記遊技領域内に発射された遊技球が始動入賞口に入賞したことを検出する入賞検出手段と、前記始動入賞口への入賞を契機として内部的な抽選を実行し、この結果、前記内部的な抽選に当選していた場合、遊技者にとって有利な特別遊技状態に移行する遊技制御手段と、前記始動入賞口への入賞を契機として、前記内部的な抽選の抽選結果に応じた停止図柄を表示する図柄表示手段と、前記遊技機列を構成するいずれかの遊技機において内部的な抽選に当選していることを暗示する演出態様とした期待演出動作を実行する演出動作実行手段と、前記内部的な抽選に当選している場合、前記内部的な抽選に当選していることを表す当選波を、前記遊技機列の配列方向に沿った一方向及び他方向の少なくとも一方に出力すべきかに関する出力振分情報を管理する出力方向振分テーブルと、前記出力方向振分テーブルの出力振分情報に基づいて、前記当選波の出力方向を決定する出力方向選択手段と、前記内部的な抽選に当選している場合、前記内部的な抽選に当選していることを表す当選波の振幅を、前記遊技機列において連携して前記期待演出動作を実行すべき最も端に位置する最端遊技機までの距離に応じて決定する振幅決定手段と、前記出力方向選択手段によって決定された前記出力方向に、前記振幅決定手段によって定められた振幅で当選波を出力する一方、前記遊技機列を構成している遊技機のうち内部的な抽選に当選している当選遊技機が、連携して前記期待演出動作を実行すべき最も端に位置する最端遊技機までの距離に応じて定めた振幅として出力した、当選波を検出する波送受手段と、前記波送受手段によって前記当選波が検出された場合、この当選波に関する振幅の減衰量に基づいて、自己が前記期待演出動作を実行すべき演出タイミングを決定するタイミング決定手段と、前記波送受手段によって前記当選波を検出した場合、前記当選遊技機における内部的な抽選に当選している旨を、前記期待演出動作として前記演出タイミングにて前記演出動作実行手段に実行させる一方、自己の前記内部的な抽選において当選して前記当選波を出力している場合、隣接する遊技機に続くタイミングで、自己の前記内部的な抽選に当選した旨を、前記期待演出動作とは演出態様を異ならせた別の期待演出動作として前記演出動作実行手段に実行させる演出制御手段とを備えることを特徴とする。
【００１０】
ここでいう別の期待演出動作とは、最端遊技機から当選遊技機に向けて、各遊技機が連携して順次実行してきた期待演出動作の演出態様とは異なる他の演出態様で、期待演出動作を実行することのみならず、最端遊技機から当選遊技機まで連携してきた各期待演出動作を規制して、演出動作実行手段がこの期待演出動作を実行しないように規制することも含んでいる。ここで当選波としては音波を採用するのが望ましいが、人体への影響が及ばない程度であれば電磁波を採用してもよい。また音波としては、空気などの媒質を経由して伝達される可聴周波、超低周波、超音波などの音、或いは振動を採用しても良い。
【００１１】
上記遊技機列は、本発明の遊技機が複数配列して構成されている。この遊技機列を構成する各遊技機は、内部的な抽選（いわゆる大当り抽選）を実行しており、各々遊技の進行に応じていつしかこの内部的な抽選に当選する。ここで、この遊技機列を構成するある遊技機（以下「当選遊技機」と呼称する）において当選した場合、この当選遊技機は、まず、内部的な抽選において当選したことを表す当選波を出力するものの、この当選遊技機の遊技者や周辺の遊技機の遊技者は、この当選波を知得することができないため、即座にこの当選を認識することができない。ここで当選遊技機は、遊技機列を構成する遊技機のうち期待演出動作を連係して実行すべき遊技機の台数に応じた振幅として当選波を出力している。
【００１２】
一般的に、この当選波のような波が出力されると、この波は空気中を伝送した際に、その伝送距離に応じて振幅などが減衰することが知られている。本発明の遊技機は、上記のように出力された当選波を検出し、この当選波に関する振幅の減衰量を把握することで、この減衰量に応じて自らが期待演出動作を実行すべき演出タイミングを決定し、このタイミングにおいて当選遊技機において内部的な抽選において当選している旨を表明すべく、期待演出動作として実行する。
【００１３】
このようにすると、例えばホールの遊技機列においては、最端遊技機から当選遊技機に向けて、これらの間に位置する各遊技機が、最端遊技機から当選遊技機の方向に向かった各遊技機の配列順に従って、各演出タイミングにおいて１台ずつ順次期待演出動作を実行する。このため、この遊技機列においては、まず、最端遊技機が期待演出動作を実行した後、その最端遊技機に続く隣の遊技機が期待演出動作を実行し、各遊技機が各々の演出タイミングにて期待演出動作を連続的に実行するようになる。このため遊技機列においては、最端遊技機から当選遊技機に向けて、各遊技機が連続的に順次期待演出動作を実行するようになる。そして本発明の遊技機においては、仮に自己の内部的な抽選において当選していた場合（つまり、自己の遊技機が当選遊技機であった場合）、実行すべき期待演出動作の演出態様とは異なる他の演出態様とした別の期待演出動作を実行する。
【００１４】
このようにすると、遊技機列を構成する各遊技機の遊技者は、各遊技機が実行する期待演出動作が徐々に近寄って来たことを認識すると、遊技機列内において自己の遊技機を含め少なくとも１台の遊技機が当選していることを認識する。すると各遊技機の遊技者は、自己の遊技機が内部的な抽選に当選したのではないかと自己にとって都合の良い期待を抱き、もはや当選により利益を享受することが確定したかのように錯覚しつつ待ち続けるのである。
【００１５】
しかも各遊技者は、ある１台の遊技機が期待演出動作を完了して次の遊技機が期待演出動作を開始するたびに、自己の遊技機が当選している確率が一段と高くなることから、１台の遊技機が期待演出動作を完了するたびに当選への期待感をさらに高め、遊技意欲を持続することができる。
【００１６】
ところで、当選遊技機によって出力される当選波の振幅が仮に予め定まったものとなっていると、当選遊技機が内部的な抽選において当選した場合、期待演出動作を最初に実行する最端遊技機から当選遊技機までの距離（台数）が予め定まってしまうことになる。従って、遊技者やホール来場者などが、期待演出動作を最初に実行する最端遊技機がどれであるかをしばらくの間観察しつづけると、そのうち期待演出動作を最初に実行しはじめる最端遊技機の位置に基づいてどの遊技機が当選遊技機であるのかに関して特定することができてしまうことも考えられる。
【００１７】
しかしながら本発明の遊技機においては、次のようにして遊技機列内において当選遊技機を特定することができないようにしている。すなわち本発明の遊技機（当選遊技機）は、期待演出動作をともに連係して実行すべき最も端に位置する最端遊技機までの配列台数を適宜変更すべく、出力する当選波の振幅及び出力方向を出力の度に変更自在としている。
【００１８】
従って、遊技機列内における各遊技機のうち当選遊技機が仮に前回の当選と今回の当選とで同じであった場合においても、ともに連係して期待演出動作を実行する最端遊技機の位置が、前回の当選と今回の当選とで異なる可能性が高く、つまり、連係して期待演出動作を実行する遊技機の台数に毎回規則性がなくなる。このため周囲の遊技者やホール来場者が、仮に期待演出動作を最初に実行する遊技機（最端遊技機）の位置を発見できたとしても、遊技機列内における各遊技機のうち当選遊技機の位置を全く特定することができなくなる。
【００１９】
従って本発明の遊技機では、遊技機列内において当選遊技機が発生した場合、当選遊技機から最端遊技機までの間における各遊技機の遊技者は、遊技機列で当選遊技機を全く特定することができない状態において、期待演出動作を実行する遊技機が徐々に近寄ってくると、自分が当選しているのではないかと錯覚して、既にあたかも大当りによる利益を享受することが確実であるかのように期待しながら遊技を継続することができるようになる。このため各遊技者は、遊技に対する興趣が尽きず、遊技意欲を高めつつ継続的に遊技を継続するようになる。
【００２０】
ところで、通常、このような遊技機列を構成するいずれか１台の遊技機において内部的な抽選に当選する確率は低いかもしれないが、この遊技機列を構成する各遊技機のいずれかにおいて当選する確率は比較的高くなる。しかも、この遊技機列を構成する遊技機の台数が増えれば増えるほど、これに比例して、この遊技機列を構成するいずれかの遊技機において当選する確率は必然的に高くなる。
【００２１】
従って本発明の遊技機によれば、遊技機列を構成する遊技機の台数が多ければ多いほど、いずれかの遊技機において当選する頻度が高くなり、各遊技者が頻繁に期待感を抱く機会が増えるため、各遊技者の遊技意欲を高める機会をより多くするとともに、徐々に迫ってくる期待演出動作に接した遊技者の心を翻弄させ、遊技者に飽きを感じさせず興趣が尽きないようにすることができる。
【００２２】
また本発明の遊技機によれば、当選波の送受に関して、隣接するパチンコ機と物理的に接続する配線などの余分なものが必要なく、ホール店員の視認性が良いことから、このホール店員が遊技者の不正行為を見落としにくくすることができるとともに不正行為そのものの遂行を阻止することができる。また本発明の遊技機によれば、配線などの作業が不要であるため、設置作業が容易となる。
【００２３】
（解決手段２）
上記の解決手段１において、本発明の遊技機は、前記内部的な抽選に当選している場合、前記当選波を出力すべき方向として、前記遊技機列の配列方向に沿った一方向及び他方向のうち少なくとも一方を選択する出力方向選択手段と、を備え、前記波送受手段は、前記出力方向選択手段によって選択された出力方向が前記一方向である場合、前記一方向に前記当選波を出力する一方向波送出手段と、前記出力方向選択手段によって選択された出力方向が前記他方向である場合、前記他方向に前記当選波を出力する他方向波送出手段と、を含むことを特徴とする。
【００２４】
まず、遊技機が当選遊技機である場合においては、出力する当選波の出力方向が固定されていると、各遊技機が連係して期待演出動作を実行している様子を周囲の遊技者が参照した場合、一見すると、周囲の遊技者が、期待演出動作を連係する遊技機の数が毎回変わるものの、この出力方向においてどの遊技機が当選遊技機であるのかをおおよその範囲で特定することができてしまうおそれがある。
【００２５】
しかしながら本発明の遊技機においては、自らが当選遊技機である場合、遊技機列における各遊技機の配列方向に沿って選択された一方向或いは他方向を出力方向として当選波を出力するため、当選波を出力する度に出力方向が不規則になる。このため遊技機列における各遊技者は、この当選波を受けて連係して期待演出動作を実行する各遊技機を注意深く観察しても、各期待演出動作の実行状況からどの遊技機が当選遊技機であるかを特定することができなくなる。
【００２６】
従って各遊技機の遊技者は、遊技機列を構成するいずれかの遊技機が期待演出動作を実行し始めると、どの遊技機が当選遊技機であるのかにういて全く認識することができず、自らの遊技機が当選遊技機であることの祈りつつ期待を膨らませて遊技を継続しつつ待ち続ける。このため本発明の遊技機によれば、当選の度に不規則に遊技者の遊技意欲を刺激しつつ各遊技者に遊技を継続させることができる。
【００２７】
（解決手段３）
上記の解決手段１又は２において、本発明の遊技機は、前記波送受手段によって前記当選波が検出された場合、この当選波に関する振幅の減衰量に基づいて前記当選遊技機までの距離を演算するとともに、この当選遊技機までの距離に応じた各遊技機の配列台数に基づいて、前記最端遊技機から前記当選遊技機までの間における自己の位置を取得する自己位置取得手段とを備え、前記タイミング決定手段は、前記最端遊技機から前記当選遊技機までの各遊技機の配列順に従って、各遊技機が前記期待演出動作を順次実行するにあたり、前記最端遊技機から前記当選遊技機までの間における自己の位置に応じて、自己が前記期待演出動作を実行すべき演出タイミングを決定することを特徴とする。
【００２８】
上記のように当選波が出力されると、この波は空気中を伝送された際に、その伝送距離に応じて振幅などが減衰することが知られており、本発明の遊技機は、この検出した当選波について振幅の減衰量を把握することで、その出力源である当選遊技機からの距離を把握することができる。
【００２９】
そして本発明の遊技機は、この把握した当選遊技機までの距離に基づいて、最端遊技機から当選遊技機までの配列順における自己の位置について把握することができる。つまり本発明の遊技機は、この遊技機列を構成する当選遊技機と最端遊技機との相対的な位置関係を把握することができるのである。
【００３０】
そして本発明の遊技機は、最端遊技機から当選遊技機までの各遊技機の配列順に従って、各遊技機が期待演出動作を順次実行する場合、自らが期待演出動作を実行すべき演出タイミングを決定し、このタイミングにおいて、自己の遊技機を除く当選遊技機において内部的な抽選において当選している旨を、期待演出動作として実行する。このため本発明の遊技機によれば、自己が期待演出動作を実行すべき演出タイミングを正確に取得することができるばかりでなく、その正確な演出タイミングで期待演出動作を実行することができる。
【００３１】
（解決手段４）
上記の解決手段１から３のいずれかにおいて、本発明の遊技機においては、前記波送受手段は、前記遊技機列の配列方向に沿った一方向に配列する前記当選遊技機が出力した当選波を検出する第１波送受手段と、前記遊技機列の配列方向に沿った前記一方向とは逆方向に配列する前記当選遊技機が出力した当選波を検出する第２波送受手段と、を含むことを特徴とする。
【００３２】
このような構成によれば、第１波送受手段が当選波を検出すると、この当選波が上記一方向から出力されたものとして当選遊技機が上記一方向に配置しているものと特定される。一方、第２波送受手段が当選波を検出すると、この当選波が上記逆方向から出力されたものとして当選遊技機がその一方向とは逆方向に配置しているものと特定される。
【００３３】
このため本発明の遊技機によれば、この特定された当選遊技機の配置方向に応じて期待演出動作を実行することができることから、各遊技機の遊技者に、当選遊技機の配置方向を認識させるものの、どの遊技機が当選遊技機であるのかについて認識させないようにすることができる。このようにすると、本発明の遊技機によれば、遊技機列内における当選遊技機が存在しているものの、その当選遊技機が自己の遊技機を含めてどの遊技機であるかを把握できないことから遊技者を翻弄させ、この遊技者の興趣が尽きないようにして遊技意欲を維持することができる。
【００３４】
（解決手段５）
上記の解決手段１から４のいずれかにおいて、前記演出動作実行手段は、自己の遊技機における前記始動入賞口への入賞を契機として、前記図柄表示手段とは別に、前記自己の遊技機における前記内部的な抽選の抽選結果に応じた装飾停止図柄を表示する装飾図柄表示手段と、前記波送受手段によって当選波が検出された場合、前記期待演出動作として、前記自己の遊技機を除く他の遊技機のうち当選遊技機が内部的な抽選に当選していることを示す連携図柄を表示する連携図柄表示手段と、を含むことを特徴とする。ここで連携図柄表示手段が表示する図柄としては、例えば数字、文字、絵、キャラクタ、背景、静止画、動画を挙げることができる。
【００３５】
本発明の遊技機では、遊技の進行に応じて、まず、図柄表示手段には、自己の遊技機における内部的な抽選の抽選結果に応じた停止図柄を表示している。これと同時に装飾図柄表示手段には、自己の遊技機における内部的な抽選の抽選結果に応じた装飾停止図柄を表示している。さらに、これとは独立して連携図柄表示手段には、自己の遊技機以外の他の遊技機のうちの当選遊技機から当選波を検出した場合、このような装飾図柄表示手段の表示態様とは関係なく、期待演出動作として、自己の遊技機以外の当選遊技機における内部的な抽選において当選していることを示す連携図柄が表示される。
【００３６】
つまり本発明の遊技機においては、この装飾図柄表示手段は、自己の遊技機の都合に応じて表示動作を実行しているのに対して、連携図柄表示手段は、自己の遊技機以外の当選遊技機の都合に応じて表示動作を実行している。ここで、遊技の進行にあたり装飾図柄表示手段を凝視していた遊技者は、一応、連携図柄表示手段に表示された演出映像に気付くものの、これらに接したことによって特段遊技を阻害されることはなくなる。従って本発明の遊技機によれば、個々の遊技者の遊技を阻害することなく、その連携図柄表示手段に表示した演出映像によって強いインパクトで、各遊技者に、内部的な抽選において当選しているかもしれないとの期待感を持たせ、しかも任意のタイミングで遊技意欲を享受させることができる。
【００３７】
（解決手段６）
上記の解決手段５において、本発明の遊技機は、前記第１波送受手段は、前記一方向に向けて前記当選波を出力する第１当選波出力手段を含む一方、前記第２波送受手段は、前記一方向とは逆方向に向けて前記当選波を出力する第２当選波出力手段を含み、前記演出制御手段は、視覚的な演出媒体が前記一方向に進行する表示態様で、前記連携図柄として第１演出映像を表示させるのに用いる第１演出映像画像データが予め記憶されているとともに、前記視覚的な演出媒体が前記他方向に進行する表示態様で、前記連携図柄として第２演出映像を表示させるのに用いる第２演出映像画像データが予め記憶されている演出映像記憶手段と、前記第１波送受手段が前記他方向から前記当選波を検出した場合、前記第１演出映像を選択する一方、前記第２波送受手段が前記一方向から前記当選波を検出した場合、前記第２演出映像を選択する演出映像選択手段と、前記演出映像選択手段によって選択された演出映像に応じて、前記演出映像記憶手段から読み出した前記第１演出映像データ及び前記第２演出映像データの一方に基づいて、前記第１演出映像及び前記第２演出映像の一方を、前記演出タイミングにおいて予め定められた時間にわたり前記演出動作実行手段としての表示装置に表示させる映像表示制御手段とを含むことを特徴とする。
【００３８】
このようにすると、最端遊技機から当選遊技機までの間で遊技している遊技者は、どの遊技機が当選遊技機であるかを特定することができないものの、各遊技機において表示される演出映像の進行方向に応じて当選遊技機の配置方向を特定することができる。従って、これらの遊技者は、演出映像が自らに近づいていることを視認すると期待感が高まるとともに、演出映像が自己の位置に近づけば近づくほどさらに当選への期待が高まるようになる。
【００３９】
このため本発明の遊技機によれば、遊技者自ら遊技している遊技機が実際には当選していない場合においても、いずれかの遊技機において内部的な抽選に当選する度に、毎回、接する期待演出動作によって、遊技者は期待感を胸に遊技を継続することができる。このような本発明の遊技機によれば、恒常的に遊技者の心を刺激することができることから、遊技者の興趣が尽きず遊技意欲を高めることができる。
【００４０】
（解決手段７）
上記の解決手段６において、本発明の遊技機は、本体枠と、前記本体枠に対してヒンジ構造を介して開閉可能に装着された前面枠と、前記前面枠に設けられたガラス枠部と、前記ガラス枠において前記遊技領域を透過して視認可能とするガラス部と、を備え、前記連携図柄表示手段は、偏光素子による光の偏光作用を用いて前記第１演出映像及び前記第２演出映像を各々表示し、前記ガラス部が前記連携図柄表示手段を有することを特徴とする。ここでいうガラス部は、いわゆるＰＰ（ポリプロピレン）、ガラス或いはアクリルを材質とする透明部材を総称したものである。また「ガラス部が連携図柄表示手段を有する」とは、この連携図柄表示手段がガラス部の一部を構成していることを示し、例えばガラス部が連携図柄表示手段を内蔵していること及び、ガラス部の表面に沿って或いは裏面に沿って薄く連携図柄表示手段が配置されていることを示している。
【００４１】
ここでまず、一般的な遊技機において装飾図柄表示手段は、遊技領域の中央にいわゆるセンター役物と呼ばれる演出装置内の奥に設けられている場合が多い。このため、本発明の遊技機の隣に配置している他の遊技機（以下「隣の遊技機」と呼称する）の遊技者（以下「隣の遊技者」と呼称する）は、この遊技領域の奥に設けられた装飾図柄表示手段の表示内容を視認しにくくなっている。
【００４２】
ところが本発明の遊技機においては、演出映像を表示する連携図柄表示手段が、ガラス枠部のガラス部に設けられており、隣の遊技者がわざわざ覗き込まなくても、連携図柄表示手段に表示されている演出映像を視認しやすい構成となっている。このため本発明の遊技機では、連携図柄表示手段に演出映像を表示した場合、この隣の遊技者に対して容易に演出映像に気付かせるとともに、この演出映像に接した隣の遊技者に対して、自己の遊技機が当選しているかもしれないとの淡い期待を抱きつつ期待感を高めることができる。しかも、この演出映像は、隣の遊技者のみならずホール来場者も視認でき、遊技者は、ホール来場者の注目を浴びるとともに当選によって利益を享受できるという優越感を感じつつ遊技を継続することができる。
【００４３】
（解決手段８）
上記の解決手段６又は７において、本発明の遊技機では、前記演出制御手段は、前記遊技機列を構成する隣の遊技機による前記演出映像の表示が完了してから、仮に前記演出媒体の進行速度で前記隣り合う遊技機間の距離を進行したと想定した場合の通過時間にわたり、前記演出映像の表示開始を規制した後、前記演出映像の表示を開始することを特徴とする。
【００４４】
この遊技機列においては、隣の遊技機による演出映像（上記第１演出映像及び第２演出映像のいずれか一方）の表示が完了した後、次は本発明の遊技機による演出映像の表示が開始されるが、本発明の遊技機では、その隣の遊技機による演出映像の表示が完了してから自己の遊技機による演出映像の表示が開始されるまでに、通過時間（以下「表示待ち時間」と呼称する）が存在している。
【００４５】
このため本発明の遊技機においては、隣の遊技機による演出映像の表示が完了すると、その表示待ち時間にわたり遊技者が、当選への妄想を繰り返すとともに、隣の遊技機における演出態様とは異なる他の演出態様とした別の期待演出動作が実行されることを祈りつつ待ち続けることになる。つまり遊技者は、自らの遊技機において別の期待演出動作が実行されることで自己の遊技機が内部的な抽選に当選していることに、期待を寄せつつ待ち続けるのである。この間、この遊技者は、当選への妄想を繰り返すことで心理的に翻弄されながら、演出態様が変わることを祈りつつ待ち続けるようになる。この遊技者は、表示待ち時間にわたり、自己の遊技機が内部的な抽選に当選しているのではないかと期待を込めて待ち続けることから、遊技に対する興趣が尽きず、遊技意欲を維持することができる。
【００４６】
（解決手段９）
上記の解決手段５から８のいずれかにおいて、前記連携図柄表示手段は、前記装飾図柄表示手段よりも遊技者側に配置していることを特徴とする。
【００４７】
このようにすると、遊技者は、装飾図柄表示手段よりも連携図柄表示手段に近接しているため、遊技の進行に応じた装飾図柄表示手段の表示よりも、連携図柄表示手段に突然表示された連携図柄に確実に気付きやすくなる。このため本発明の遊技機によれば、遊技機列内のいずれかの遊技機が内部的な抽選に当選したことを、各遊技者に確実に認識させるとともに、その当選したのがあたかも自分であるかのように各遊技者に錯覚を与えて深い期待感に浸らせることができる。
【００４８】
（解決手段１０）
上記の解決手段５から９のいずれかにおいて、前記連携図柄表示手段は、その表示領域が前記装飾図柄表示手段の表示領域よりも広いことを特徴とする。
【００４９】
このようにすると、遊技の進行に応じた装飾図柄表示手段の表示よりも、連携図柄表示手段による連携図柄の表示が目立つため、このように連携図柄表示手段に連携図柄が表示された場合、仮に遊技中であっても各遊技者が確実に気付くようになる。このため本発明の遊技機によれば、遊技機列内のいずれかの遊技機が内部的な抽選に当選したことを、各遊技者に確実に認識させるとともに、その当選したのがあたかも自分であるかのように各遊技者に錯覚を与えて深い期待感に浸らせることができる。
【００５０】
（解決手段１１）
上記の解決手段１から１０のいずれかに記載の遊技機において、本発明の遊技機は、前記当選波は、音波であることを特徴とする。
【００５１】
一般的に音波は、光に比べてそれほど指向性がないことが知られている。本発明の遊技機においては、このような光を用いた当選波を利用しようとすると、各遊技機に受光器及び発光器を搭載する必要がある。仮にこのようにすると、隣り合う遊技機においては、光の指向性を考慮して互いに発光器及び受光器の向きを位置合わせる必要があるため、ホールに遊技機を設置する際の手間が掛かってしまうことも考えられる。
【００５２】
しかしながら本発明の遊技機は、そもそも発光器及び受光器が不要であることから、ホールにおける各遊技機の設置にあたり、この光の発光器及び受光器の向きを正確に位置合わせる必要がなくなる。そして本発明の遊技機は、当選波として音波を用いており音波は指向性が比較的ないことから、波送受手段の向きを厳密に設定する必要がなくなる。従って本発明の遊技機は、ホールに設置の際の手間を少なくし、作業の手間を少なくすることができる。また本発明の遊技機は、当選波として音波を利用していることから、隣接する他の遊技機と物理的に接続されていなくても、隣接する他の遊技機との間で通信を行うことができる。
【発明の効果】
【００５３】
本発明の遊技機は、遊技者の興趣が尽きないようにすることができる。
【発明を実施するための最良の形態】
【００５４】
以下、本発明をパチンコ機に適用した一実施形態について、各対応図面を参照しながら説明する。
（１．第１実施形態）
図１は、本発明の遊技機が適用された実施形態としてのパチンコ機１が複数で遊技機列を構成している様子を簡素化して表した平面図である。
パチンコ機１は、ホールの島設備において他のパチンコ機とともに遊技機列を構成しており、これらパチンコ機は、各々遊技者によって遊技されている。このホールの島設備においては、このパチンコ機１と同様の構成及び機能を有する多数の他のパチンコ機が隣り合うように並べて配列されることで、遊技機列が構成されている。各パチンコ機１は、このような遊技機列の中で個々独立した遊技動作を実行している。これらパチンコ機１などの間には、これらパチンコ機１などがいわゆるＣＲ機である場合、台間サンド６９としてカードユニットが設けられている。
【００５５】
図２および図３は、一実施形態となるパチンコ機１の構成を具体的に示している。パチンコ機１は枠体および遊技盤４から構成され、枠体には外枠２をはじめ本体枠３、前面枠５等が含まれている。このうち外枠２は、上下左右の木枠材を矩形に組み合わせて構成されており、その前側下部には、本体枠３の下面を受けるための下受板６が備えられている。外枠２の左側縁部には、ヒンジ機構７を介して本体枠３の左側端部が連結されており、図３に示されているように、本体枠３は外枠２の手前側にて開閉可能となっている。この本体枠３は、前枠体８と遊技盤装着枠９、機構装着枠１０を合成樹脂材によって一体成形することで構成されている。このうち前枠体８は、本体枠３の前面側に位置して形成されており、その外形は、下受板６を除く外枠２の外郭形状に合致する大きさを有している。
【００５６】
遊技盤装着枠９は前枠体８の後部に一体的に形成されており、この遊技盤装着枠９には遊技盤４が前方から嵌め込むようにして装着されている。遊技盤４もまたヒンジ機構２５を介して本体枠３より前面側へ開閉可能となっており、この開閉動作に伴って遊技盤４は本体枠３に対して着脱可能となっている。遊技盤装着枠９のうち、遊技盤４が嵌め込まれる部位の下開口縁部にキャッチロック９ａ（いわゆる「パチン錠」）が設けられている。図示のように、遊技盤装着枠９に遊技盤４が嵌め込まれた状態でキャッチロック９ａが締め付けられると、遊技盤４が下方に強く押し付けられるようにして遊技盤装着枠９に固定される。
【００５７】
また、遊技盤４の右上隅部と右下隅部にはそれぞれロック部材４ｃが取り付けられている。ロック部材４ｃは遊技盤４の幅方向に細長く延びたプレート形状をなしており、その先端部は遊技盤４から右側方に突き出た状態で遊技盤４を遊技盤装着枠９に対して係止する爪の働きをする。すなわち、ロック部材４ｃはその先端部分が遊技盤４の右側端から側方に突出した突出位置か、もしくは遊技盤４の右側端から内側（中心方向）に引っ込んだ引込位置のいずれかで遊技盤４に係止される。
【００５８】
一方、図３には示されていないが、遊技盤装着枠９の内縁には上下のロック部材４ｃにそれぞれ対応する位置に係止穴が形成されている。このため遊技盤４を遊技盤装着枠９に嵌め込んだ状態で、上下のロック部材４ｃをそれぞれ突出位置で係止させれば、その先端部が係止穴に入り込んだ状態で遊技盤４を遊技盤装着枠９に係止し、その前方への脱落を防止する。逆に、上下のロック部材４ｃを突出位置から退出させて遊技盤装着枠９との係止を解除すれば、遊技盤４を遊技盤装着枠９から容易に取り外すことができる。
【００５９】
遊技盤４の盤面（前面）には、環状に成形された案内レール１１が設けられており、この案内レール１１は外レールと内レールとから構成されている。そして遊技盤４の盤面には、案内レール１１の内側にほぼ円形状の遊技領域１２が区画して形成されている。なお、遊技領域１２内の構成（盤面構成）については後述する。
【００６０】
前枠体８の左下隅の位置には、装着板１３を介して低音用スピーカ１４が内蔵されている。また、前枠体８の右下隅の位置には発射レール１５が設けられており、この発射レール１５は遊技盤４の発射通路に向けて遊技球を導く役割を果たしている。そして前枠体８には、発射レール１５や低音用スピーカ１４よりも下方の位置に下前面部材１６が装着されている。この下前面部材１６のほぼ中央位置に下皿１７が形成されており、さらにその右側位置に発射ハンドル１８が設けられている。
【００６１】
図３に一部が示されているように、本体枠３（前枠体８）の右側端部には、その裏面側に施錠装置１９が装着されている。この施錠装置１９は、外枠２に対して本体枠３全体を施錠したり、あるいは、本体枠３に対して前面枠５を施錠したりする機能を備えている。施錠装置１９は２種類の枠施錠ラッチ２１および扉施錠ラッチ２３を有しており、このうち一方の枠施錠ラッチ２１は外枠２の閉止具２０に対応している。例えば、図３に示されている状態から本体枠３を外枠２に対して押し込むと、上下で２つの枠施錠ラッチ２１がそれぞれ対応する閉止具２０に係合し、これにより本体枠３が外枠２に施錠された状態で固定される。
【００６２】
もう一方の扉施錠ラッチ２３は、前面枠５の後面に設けられた閉止具２２に対応しており、例えば図３に示されている状態から前面枠５を本体枠３に対して押し込むと、上下で３つの扉施錠ラッチ２３がそれぞれ対応する閉止具２２に係合し、これにより前面枠５が本体枠３に施錠された状態で固定される。
【００６３】
施錠装置１９はまたシリンダー錠２４を有しており、本体枠３および前面枠５が閉止された状態で、例えばホールの管理者・従業員がシリンダー錠２４の鍵穴に専用の鍵を挿入して一方向に回すと、枠施錠ラッチ２１と外枠２の閉止具２０との係合が解除されて本体枠３が解錠される。また、これとは逆方向に鍵を回すと、扉施錠ラッチ２３と前面枠５の閉止具２２との係合が解除されて前面枠５が解錠されるようになっている。なお、シリンダー錠２４の前端部は、前枠体８および下前面部材１６を貫通して下前面部材１６の前面に露出しているため、パチンコ機１の前方から鍵を挿入して解錠操作を容易に行うことができるものとなっている。
【００６４】
なお、本実施形態では、時計回り方向に鍵を回動操作（捻り操作）することで外枠２に対して本体枠３が解錠され、反時計回り方向に鍵を回動操作（捻り操作）することで本体枠３に対して前面枠５が解錠される。このように、鍵の回動操作の方向を異ならせるだけで、本体枠３または前面枠５のいずれかを解錠させることができる。また、施錠装置１９は、本体枠３が閉塞状態にて施錠されたときに、鍵以外のものを用いた外部操作によって枠施錠ラッチ２１と外枠２の閉止具２０との係合が解除されないように枠施錠ラッチ２１の変位をロックするロック機構をさらに備えている。
【００６５】
これにより、本体枠３が閉塞状態で施錠されたときは、ロック機構により枠施錠ラッチ２１がロックされる。また本体枠３（全面枠８）には、枠施錠ラッチ２１よりも外枠２と本体枠３（前面枠８）との間隙に近い側（図３でみて右側方）にリブが突設して形成されており、不正行為を意図した遊技者等が外枠２と本体枠３（前面枠８）との間隙から針金等を差し込んで直接枠施錠ラッチ２１を操作しようとしても、その針金等はリブに当接し、それ以上の進入を阻まれる。したがって、外枠２と本体枠３（前面枠３）との間隙から針金等を用いて本体枠３を不正に解錠するような行為を抑止することができる。
【００６６】
前面枠５はガラス枠やガラス扉とも称され、この前面枠５はヒンジ機構２５を介して本体枠３の前面側に開閉可能に装着されている。前面枠５は、その裏側に扉本体フレーム２６を有するほか、前側に枠ランプ２７（サイド装飾装置）や上皿２８、音響電飾装置２９を備えている。扉本体フレーム２６は、プレス加工された金属製フレーム部材によって構成されており、この扉本体フレーム２６は前枠体８の上端から下前面部材１６の上縁に亘る部分を覆う大きさに形成されている。前面枠５を閉じると、遊技盤４を含む前枠体８の前面側が前面枠５によって覆われることとなるが、扉本体フレーム２６の中央にはほぼ円形の開口窓３０が形成されており、この開口窓３０を通じて遊技盤４の遊技領域１２を前方から視認することができる。また、扉本体フレーム２６の後側には、開口窓３０よりも大きい矩形枠状をなす窓枠３１が設けられており、この窓枠３１には透明な２枚のガラス板３２が前後に間隔をおいて嵌め込まれている。
【００６７】
なお本実施形態の構成では、遊技盤４の右方ではなく下方にシリンダー錠２４を配置し、合わせて遊技盤４の右方に配置された施錠装置１９を薄型化することで、遊技盤４に形成された遊技領域１２の面積を従来よりも大きく確保することができる。これにより遊技者の見る目を大いに引きつけ、その視認に対する興趣を高めることができる。また本実施形態の構成では、遊技領域１２の拡大に合わせて前面枠８の開口窓３０が拡大されているため、その部分では前面枠８の剛性が低下することとなるが、本実施形態では前面枠８の下部に上皿２８が一体的に形成されているため、この上皿２８の部分が補強となって前面枠８全体としての剛性の低下を抑制している。
【００６８】
図２に示されているように、前面枠５には開口窓３０の周囲において、左右両側部に枠ランプ２７が配設されているほか、その下部に上皿２８が配設されており、さらには上部に音響電飾装置２９が配設されている。これら枠ランプ２７や音響電飾装置２９、上皿２８等は全体として前面枠５の外形を構成するべく一体をなし、相互に外観上の一体感を想起させるデザインが施されている。
【００６９】
このうち枠ランプ２７は、ランプ基板を内蔵したサイド装飾体３３を主体として構成されており、サイド装飾体３３はちょうど開口窓３０の左右で一対をなしている。サイド装飾体３３には、横長に延びるスリット状の開口孔が上下方向に複数配列されており、個々の開口孔には、ランプ基板に実装されたランプ（ＬＥＤ：発光ダイオード）に対応するレンズ３４が組み込まれている。
【００７０】
また音響電飾装置２９は、高音用に２つのスピーカ３６を内蔵しており、これらスピーカ３６の前面側はスピーカカバー３７で覆われている。スピーカ３６は前面枠５の左右に一対をなして配置されており、左右のスピーカ３６をつなぐようにして透明カバー体３５が設置されている。透明カバー体３５は前面枠５の幅一杯に拡がっており、その奥には装飾用のＬＥＤを有したランプ基板やリフレクタ体等が設置されている。音響電飾装置２９は、これらスピーカ３６やスピーカカバー３７、透明カバー体３５、ランプ基板、リフレクタ体等の構成部材が相互に組み付けられた状態でユニット化されている。
【００７１】
また上記前面枠５の開口窓３０には、その開口窓３０内に設けられた２枚のガラスの間に、後述する演出映像を表示する透明なエレクトロルミネッセンス表示装置５３（連携図柄表示手段）が設けられている。このエレクトロルミネッセンス表示装置５３は、後述する期待演出動作を実行する際に演出映像（連携図柄）を表示するものである。また前面枠５の左右両側部は、多少の傾斜を持って構成されており、この前面枠５の開口窓３０及びその周囲の部分は、この前面枠５の左右両側部に比べて遊技者側に突出した構成となっている。そして、この開口窓３０の左右両側面における上部における両傾斜部（スピーカカバー３７に隣接する部分）には、各々波送受装置８０ａ，８０ｂ（波送受手段）が設けられている。これら波送受装置８０ａ（第１当選波出力手段）及び波送受装置８０ｂ（第２当選波出力手段）は、各々隣のパチンコ機の方向に向けて波を出力する機能を有する（波送出手段）。また、これら波送受装置８０ａ，８０ｂは、各々隣のパチンコ機が出力した波を検出する機能を有する（波検出手段）。
【００７２】
また、これら波送受装置８０ａ，８０ｂは、各々例えば指向性のある超音波などの当選波を出力したり、周囲に配置されている他のパチンコ機が出力した当選波を検出する機能を有する。具体的には、これら波送受装置８０ａ，８０ｂとしては、音センサの一例としてのいわゆるダイナミック型（導電型）マイクロホンを採用している。このダイナミック型マイクロホンは、磁石とコイルを用いたものを採用し、コイルが振動することによって発生した逆起電力によって上記当選波を検出する方式を採用している。また、このダイナミック型マイクロホンとしては、コンデンサを用いたものを採用してもよく、このマイクロホンは振動による容量変化から当選波を検出する方式を採用してもよい。
【００７３】
なお、本実施形態で用いる「右」とは、パチンコ機１に遊技者から向かって右方向を示しており、また「左」とは、パチンコ機１に遊技者から向かって左方向を示している。従って、この波送受装置８０ａは、例えば左側に波を出力したり左側に配列するパチンコ機が出力した波を検出する。一方、波送受装置８０ｂが、例えば右側に波を出力したり右側に配列するパチンコ機が出力した波を検出する。このようにして波送受装置８０ａ，８０ｂは、各々波の出力源の方向を特定することができるようになっている。本実施形態では、波送受装置８０ａが左から当選波を検出した場合、「ＯＦＦ（０）」であった当選波左検出フラグを「ＯＮ（１）」と設定する一方、波送受装置８０ｂが右から当選波を検出した場合、「ＯＦＦ（０）」であった当選波右検出フラグを「ＯＮ（１）」と設定している。
【００７４】
また、扉本体フレーム２６の前側には、開口窓３０の周囲において、下部に上皿２８が前面枠８と一体的に設けられているほか、左右の両側部に枠ランプ２７が装着されており、また上部に上部スピーカ３６が装着されている。なお枠ランプ２７については、各種遊技内容に応じてその点灯・消灯制御が実行されており、上部スピーカ３６および下部スピーカ１４については、各種遊技内容に応じて複数種類の音出力態様により音出力制御が実行される。このように本実施形態のパチンコ機１では、各種遊技内容に応じて枠ランプ２７の点灯・消灯制御や、上部スピーカ２９および下部スピーカ１４の音出力制御を実行することで演出効果を高め、遊技者の興趣を向上するようになっている。また、上部スピーカ２９および下部スピーカ１４では、不正行為が実行されたことを報知する警告音や、遊技に関するエラーが発生したことを報知する情報音等の出力も行われる。
【００７５】
パチンコ機１の構造上、上記の枠体（外枠２、本体枠３、前面枠５）が本体を構成する部分であり、遊技盤４の板材、つまり遊技板は本体に着脱可能に支持された部分となっている。外枠２は遊技場（ホール）の島設備にパチンコ機１を固定する役割を担い、また本体枠３は遊技板を含めた遊技盤４全体を着脱可能に支持する役割を担う。遊技板はベニヤ板等の強度部材からなり、その前面および背面には各種構成要素（障害釘、役物、入賞装置、装飾品類、電子機器・制御基板類）が取り付けられている。
【００７６】
（２．盤面構成）
図４は、遊技盤４を単独で示している。上記のように遊技盤４は矩形状に成型された遊技板４ａを強度部材として構成されており、その前面に遊技領域１２が円形状に形成されている。遊技領域１２内には、所定の配列で多数の障害釘が打ち付けられているほか、その適宜の位置に球誘導用の風車４０が設けられている。遊技領域１２内の上半分には、ひときわ大きく目を引く演出装置４２が配置されており、この演出装置４２にはパチンコ機１の機種やゲームコンセプト等を象徴したデザインがあしらわれている。
【００７７】
演出装置４２は、その全体が縦方向に扁平した楕円形状の外形をなしているが、そのところどころに角張った部分を有する。特に正面からみて演出装置４２の頂部は山形状に突出し、その山頂に相当する部分から左右に延びる上縁部は、緩やかな下り傾斜を有している。また、演出装置４２の左側縁部は縦方向にゴツゴツと切り立ったような形状をなしており、このため左側縁部の上端と下端がそれぞれ角張った外形をなしている。一方、演出装置４２の右側縁部は遊技領域１２の外縁に沿って円弧状に湾曲しており、その輪郭線は左側縁部と対照的に滑らかなカーブを描いている。また、演出装置４２の下側縁部は中央に向かって直線的に絞り込まれたような下り傾斜を有しており、そして中央の位置では水平方向に屈曲されている。
【００７８】
演出装置４２の内側には液晶表示装置５０が設置されており、この液晶表示装置５０は比較的大型の表示画面を有している。また演出装置４２の内側で、液晶表示装置５０の表示画面の上部に可動装飾体４４が配置されている。
【００７９】
また、演出装置４２の左右の遊技領域１２にはゲート５８が一対をなして配置されている。演出装置４２よりも下方の遊技領域１２には上始動口５２が配置されており、その直下の位置には、入球装置５６と一体化された下始動口５４が配置されている。入球装置５６には左右一対の開閉部材５６ａが付属している。この入球装置５６は、図中に示されているように開閉部材５６ａが左右に拡開した状態に変位すると下始動口５４に遊技球が入賞可能となり、逆に開閉部材５６ａが閉じた状態に変位すると遊技球は下始動口５４に入賞しなくなる。なお入球装置５６にも、演出装置４２と同様にパチンコ機１のゲームコンセプトを象徴したデザインが施されている。
【００８０】
入球装置５６の下方の位置にはアタッカ装置６０が配置されている。このアタッカ装置６０は大入賞口６２を開閉するための開閉部材６０ａを有している。図示のように開閉部材６０ａが手前側へ倒れ込むようにして開いた状態に変位すると、上方から流下してくる遊技球が開閉部材６０ａに案内されて大入賞口６２に入賞可能となり、逆に開閉部材６０ａが盤面に沿う位置まで変位すると、大入賞口６２が閉じられて遊技球は入賞しなくなる。
【００８１】
その他、遊技領域１２の下縁部に沿って左右にサイド装飾部材６４が配置されており、これらサイド装飾部材６４に一般入賞口６６が形成されている。これらサイド装飾部材６４もまた、演出装置４２と同様にパチンコ機１のゲームコンセプトを象徴したデザインを有し、その造形には演出装置４２との視覚的な統一感が与えられている。
【００８２】
サイド装飾部材６４では、遊技の進行に伴い各種情報の表示が行われるものとなっており、各種情報の表示は、各サイド装飾部材６４に内蔵されたＬＥＤの点灯・点滅により表示することができる。このため、例えば右側のサイド装飾部材６４には、４つの発光領域６４ａが形成されており、これら発光領域６４ａはいずれも小円形状をなし、そして４つが菱形を描くようにして配列されている。さらに発光領域６４ａの上方には２つの発光領域６４ｂ，６４ｃが形成されている。また、左側のサイド装飾部材６４にも合計で４つの発光領域６４ｄ，６４ｅが形成されている。これら発光領域６４ｄ，６４ｅはいずれも小円形状をなし、縦方向に１列を描くようにして配列されている。以下、発光領域６４ａ〜６４ｅについて概略を説明する。
【００８３】
先ず右側に４つ配列された発光領域６４ａは、後述する特別図柄表示器（特別図柄表示装置）として機能する。特別図柄は、パチンコ機１において特別図柄抽選（大当り抽選）が行われ、その当落の結果が出たということを外部に向けて表示するためのものである。例えば、パチンコ機１における通常遊技状態（大当り遊技でない状態）で上始動口５２または下始動口５４への入賞があると、それを契機に４つの発光領域６４ａがいろいろなパターンで点滅動作を開始し、特別図柄の変動状態が表示される。このような特別図柄の変動開始（いわゆる「始動」）により、遊技者は大当り抽選が行われたこと（あるいは、これから抽選の結果が出ること）を認識することができる。
【００８４】
この後、ある程度の時間が経過すると発光領域６４ａの点滅動作が停止し、そのときの抽選結果（当落結果）を表示する態様で特別図柄が停止表示される。特別図柄の停止表示の態様について、簡易な例では４つの発光領域６４ａが全て点灯していれば当選（大当り）を表し、４つの発光領域６４ａのいずれか１つでも消灯していれば落選を表すといった態様が挙げられる（ただし、これら以外の態様もある。）。これにより、遊技者は大当り抽選に当選したか否かを視覚的に認識することができる。なお本実施形態では、４つの発光領域６４ａの他に液晶表示装置５０を用いて装飾的な図柄（例えば「０」〜「９」の数字をデザインしたもの）を変動・停止表示させることで、特別図柄の変動表示と停止表示に関連した各種の演出を行うことが可能である。
【００８５】
また、特別図柄表示器に関連して演出装置４２の下縁部に４つの発光領域４８が形成されており、これら４つの発光領域４８は特別図柄の始動記憶ランプとして機能する。
【００８６】
具体的には、遊技中に上始動口５２または下始動口５４への入賞があると、これを契機として特別図柄の始動条件が記憶され、この状態で特別図柄が変動表示中であれば、発光領域４８が１つ発光（点灯）して始動記憶数が「１」であることが表示される。一方、始動条件が記憶されている状態で、特別図柄が変動していなければ（変動状態から停止表示状態になった場合を含む）、記憶された始動条件に基づいて特別図柄の変動表示が開始される。この場合、始動条件の記憶は消去され、あわせて消去された始動記憶に対応する発光領域４８の発光が停止（消灯）される。なお、本実施形態では始動記憶数の上限が４であるため、上限に達した場合、それ以上の始動条件は記憶されない。
【００８７】
次に、発光領域６４ａの上方に配置された２つの発光領域６４ｂ，６４ｃのうち、右側に位置する発光領域６４ｃはその点灯・点滅により普通図柄表示器（後述の普通図柄表示装置）として機能することができる。普通図柄は、パチンコ機１において普通図柄抽選が行われ、その当落の結果が出たということを表すためのものである。例えば、パチンコ機１における通常遊技状態（大当り遊技でない状態）でゲート５８を遊技球が通過すると、それを契機に発光領域６４ｃが点灯または点滅動作を開始し、これにより普通図柄の変動状態が表示される。一方、左側の発光領域６４ｂは、その点灯または消灯によって内部的な遊技様態（大当り確率が比較的高い高確率遊技様態であるか、あるいは大当り確率が比較的低い低確率遊技様態であるかの様態）を表示することができる。
【００８８】
そして、左側のサイド装飾部材６４に４つ縦に並んで配置された発光領域６４ｄ，６４ｅのうち、下２つの発光領域６４ｅは、点灯・点滅によって普通図柄の始動記憶数（１〜４）を表示することができる。また、上２つの発光領域６４ｄは、大当りになった場合にいずれか１つが点灯し、それによって大当りの種類を表示することができる。なお、大当りの種類については、パチンコ機１の制御に関する構成と合わせて後述する。
【００８９】
（３．制御構成）
図５は、パチンコ機１の動作を制御するための制御構成を概略的に示している。なお、この図５においては電源に関係する構成（電源基板など）の図示を省略している。
パチンコ機１の制御は、大きく分けて主基板のグループと周辺基板のグループとで分担されている。このうち主基板のグループが遊技動作（入賞検出や当り判定、特別図柄表示、賞球払出等）を制御しており、周辺基板のグループが演出動作（発光装飾や音響出力、液晶表示等）を制御している。この他にも、パチンコ機１には、電源基板、インタフェース基板等が装備されているが、いずれも公知のものを適用できるため、ここでは図示とともに詳細な説明を省略する。
【００９０】
（３−１．主基板）
主基板は、主制御基板１５６と払出制御基板１５８とからなり、このうち主制御基板１５６は遊技盤４の裏面側に配設されている。もう一方の払出制御基板１５８は、賞球装置とともに本体枠３の裏面側に配設されている。主制御基板１５６は、ＣＰＵ１５６ｃをはじめＲＯＭ１５６ｅやＲＡＭ１５６ｄ等の電子部品を装備しており、これら電子部品によって各種の遊技制御プログラムを実行する。このＣＰＵ１５６ｃは、ＲＯＭ１５６ｅやＲＡＭ１５６ｄを内蔵した構成となっている。
【００９１】
この遊技制御プログラムは、上記始動入賞を契機として大当り抽選（内部的な抽選）の判定を実行し、この大当り抽選において当選している場合には、当選フラグに「１（ＯＮ）」を設定し、当選していない場合には当選フラグに「０（ＯＦＦ）」を設定する。つまり、この当選フラグは、大当り抽選において当選したか否かを表すフラグである。
【００９２】
上記主制御基板１５６においては、例えば４ｍｓごとに実行される割込み処理においてコマンド送信処理が実行されている。このコマンド送信処理では、図示しないコマンドバッファに送信すべきコマンドが格納されていると、この格納されているコマンドをサブ統合基板１６８や払出制御基板１５８に対して送信する。つまり、このコマンド処理では、コマンドバッファに送信予約されているコマンドが存在している場合、この送信予約されているコマンドを送信する。本実施形態では、遊技制御プログラムは、この当選フラグに関する情報（以下「当選情報」と呼称する）及び変動時間などを含む演出コマンドを、コマンド送信処理においてサブ統合基板１６８に対して送信している。
【００９３】
一方、払出制御基板１５８は、ＣＰＵ１５８ｃをはじめＲＯＭ１５８ｅやＲＡＭ１５８ｄ等の電子部品を装備しており、これら電子部品によって各種の払出制御プログラムを実行する。このＣＰＵ１５８ｃは、ＲＯＭ１５８ｅやＲＡＭ１５８ｄを内蔵した構成となっている。
【００９４】
主制御基板１５６と払出制御基板１５８との間では、それぞれの入出力インタフェース１５６ａ，１５８ａを介して双方向通信が実施されている。これら主制御基板１５６と払出制御基板１５８との間では、例えば主制御基板１５６が賞球コマンドを送信すると、これに応えて払出制御基板１５８が主制御基板１５６に対してＡＣＫ信号を返す。
【００９５】
主制御基板１５６には、遊技盤４に設けられている特別図柄表示装置１６０（ＬＥＤ１５２）、普通図柄表示装置１６５及び遊技様態表示装置１６３が接続されているほか、入球装置５６、アタッカ装置６０等を駆動するソレノイド１６２や入賞球を検出する入賞スイッチ６４、保留ランプ（図５に示さず）等が接続されている。入賞スイッチ６４は、これら入球装置５６又はアタッカ装置６０に遊技球が入賞したことを検出すると、遊技制御プログラムは、例えば４ｍｓごとの周期的な割込み処理に含まれるコマンド送信処理において入賞コマンドを出力する。また、この遊技制御プログラムは、パチンコ機１において所定時間遊技されなかった場合、例えば４ｍｓごとに周期的に実行される割込み処理に含まれるコマンド送信処理において、待機演出動作を開始すべき旨を表す待機演出コマンドをサブ統合基板１６８に対して出力する。このサブ統合基板１６８は、主制御基板１５６が送信したコマンドなどを受信する図示しないバッファを有している。
【００９６】
また、この一方、サブ統合基板１６８は、当選波を左方向から送出するにあたり当選波出力指示コマンドを格納することで出力予約をする当選波左送出バッファ及び、当選波を右方向から送出するにあたり当選波出力指示コマンドを格納することで出力予約をする当選波右送出バッファを有している。
【００９７】
払出制御基板１５８には、払出装置を駆動する払出モータ６６が接続されているほか、モータインデックスセンサや賞球カウントスイッチ等（いずれも図示されていない）が接続されている。
【００９８】
（３−２．周辺基板）
周辺基板には、サブ統合基板１６８のほかに、例えば複数の電飾制御基板１７０，１７２や波形制御基板１７４等が含まれる。上記の主制御基板１５６とサブ統合基板１６８との間では、それぞれの入出力インタフェース１５６ａと入力インタフェース１６８ａとの間で一方向だけの通信が行われており、例えば主制御基板１５６からサブ統合基板１６８へのコマンドの送信はあってもその逆は行われない。
【００９９】
サブ統合基板１６８もまた、ＣＰＵ１６８ｃをはじめＲＯＭ１６８ｅやＲＡＭ１６８ｄ等の電子部品を有しており、これら電子部品によって所定の演出制御プログラムを実行する。このＣＰＵ１６８ｃは、ＲＯＭ１６８ｅやＲＡＭ１６８ｄを内蔵した構成となっている。
【０１００】
このサブ統合基板１６８は、そのＣＰＵ１６８ｃの制御によって、この演出制御プログラムがＲＡＭ１６８ｄを作業領域として遊技の進行に伴う演出動作を制御したり、次のような期待演出動作を制御する。この期待演出動作は、例えば変動後の停止図柄が所定の表示態様（例えば同一の図柄が１列に揃った表示態様）になるかもしれないことを暗示する演出動作の一種である。つまり、この期待演出動作は、大当り抽選において当選するかもしれないとの期待感を遊技者に与える演出動作である。ここで、このサブ統合基板１６８は、例えば２ｍｓごとに周期的に実行される割込み処理に含まれるコマンド受信処理において受信バッファを参照し、この受信バッファにコマンドなどが格納されているか否かを判断する。この受信バッファは、主制御基板１５６が送信した入賞コマンドや演出コマンドなどのコマンドを格納しておくものである。
【０１０１】
この演出制御プログラムは、受信した演出コマンドなどを解析し、当選フラグの内容に応じて変動時間にわたり演出動作を制御する。この演出制御プログラムは、解析した演出コマンドが演出動作を開始すべき旨を表す場合には演出動作の制御を開始する一方、解析した演出コマンドが演出動作を終了すべき旨を表す場合には演出動作の制御を停止する。
【０１０２】
また、サブ統合基板１６８とその他の電飾制御基板１７０，１７２や波形制御基板１７４との間では、それぞれの入出力インタフェース１６８ｂ，１７０ａ，１７２ａ，１７４ａとの間で双方向に通信が行われる。電飾制御基板１７０もまた、ＣＰＵ１７０ｃをはじめＲＯＭ１７０ｅやＲＡＭ１７０ｄ等の電子部品を有しており、これら電子部品によって所定の演出制御プログラムを実行することができる。このＣＰＵ１７０ｃは、ＲＯＭ１７０ｅやＲＡＭ１７０ｄを内蔵した構成となっている。一方、電飾制御基板１７２もまた、ＣＰＵ１７２ｃをはじめＲＯＭ１７２ｅやＲＡＭ１７２ｄ等の電子部品を有しており、これら電子部品によって所定の演出制御プログラムを実行することができる。このＣＰＵ１７２ｃは、ＲＯＭ１７２ｅやＲＡＭ１７２ｄを内蔵した構成となっている。また、この電飾制御基板１７２は、さらにＲＡＭ１７２ｆやＲＯＭ１７２ｇ（図面上「ＣＲＯＭ」と図示する）を有している。
【０１０３】
この電飾制御基板１７０には、主に装飾用のランプ（ＬＥＤ）９２が接続されており、サブ統合基板１６８から電飾制御基板１７０に対してランプ９２の点灯信号が送信されると、これを受けて電飾制御基板１７０がランプ７６を点灯などさせる処理を行う。
【０１０４】
一方、電飾制御基板１７２には、装飾用のランプ７８、液晶表示装置５０及びエレクトロルミネセンス表示装置５３が接続されている。この電飾制御基板１７２は、サブ統合基板１６８から電飾制御基板１７２に対してランプ７８の点灯信号が送信されると、これを受けてランプ７６を点灯などさせる処理を行う。
【０１０５】
また、この電飾制御基板１７２においては、ＣＰＵ１７２ｃの制御によって、図示しない制御プログラムが動作しており、この制御プログラムは、そのエレクトロルミネセンス表示装置５３に後述する演出画像などの映像を表示させる処理を実行する一方、液晶表示装置５０に遊技の進行に応じた映像を表示させる処理を実行する。この液晶表示装置５０は、液晶素子を用いた表示装置であり、このエレクトロルミネセンス表示装置５３は、例えばエレクトロルミネッセンス素子を用いた透明な自発光タイプの表示装置である。
【０１０６】
この電飾制御基板１７２は、これらＣＰＵ１７２ｃなど以外にも、図示しない映像表示プロセッサ（映像表示制御手段）及びＣＲＯＭ１７２ｇ（演出映像記憶手段）が搭載されている。なお、本実施形態では、この映像表示プロセッサを「ＶＤＰ」と省略して呼称する。このＣＲＯＭ１７２ｇには、通常遊技状態において用いられる演出映像に係るキャラクタデータ以外にも、例えばリーチ演出や大当り中において用いられる演出映像に係るキャラクタデータが格納されている。本実施形態では、このＣＲＯＭ１７２ｇに、例えば右から左に演出媒体（例えば魚群を例示する）が進行する演出映像（第１演出映像）に係るキャラクタデータが格納されているとともに、例えば左から右に演出媒体（例えば魚群を例示する）が進行する演出映像（第２演出映像）に係るキャラクタデータが格納されている。
【０１０７】
この図示しないＶＤＰは、ＣＰＵ１７２ｃの制御によって、ＣＲＯＭ１７２ｇからキャラクタデータを取得し、このキャラクタデータに基づいてこれら第１演出映像及び第２演出映像のいずれかをエレクトロルミネセンス表示装置５３に表示させるようになっている。なお、本実施形態では、このようなエレクトロルミネセンス表示装置５３に表示する代わりに、液晶表示装置５０に表示させるようにしても良いことはいうまでもない。
【０１０８】
本実施形態では、遊技演出画像は、遊技の進行に応じて液晶表示装置５０の表示領域に表示される演出画像を示しており、期待演出画像（演出画像）は、大当り抽選において当選している或いは当選しているかのように暗示する場合に、エレクトロルミネッセンス表示装置５３の表示領域に表示される演出画像を示している。
【０１０９】
ここでサブ統合基板１６８が、電飾制御基板１７２に対して、表示コマンドを送信すると、これを受けて電飾制御基板１７２は、液晶表示装置５０及びエレクトロルミネセンス表示装置５３を各々独立させて表示動作を実行させる。
【０１１０】
また電飾制御基板１７２には、またこれ以外にも、例えばドラムやキャラクタ体等の可動体によって演出動作を行う役物が盤面上に設けられている場合、これらを駆動するモータ、ソレノイド等が電飾制御基板１７０，１７２等に接続されている。
【０１１１】
波形制御基板１７４は、音響出力としての可聴当選波のほか、不可聴である超音波等の波形信号を生成・送受信する処理を実行している。この波形制御基板１７４もまた、ＣＰＵ１７４ｃをはじめＲＯＭ１７４ｅやＲＡＭ１７４ｄ等の電子部品を有しており、これら電子部品によって所定の演出制御プログラムを実行することができる。このＣＰＵ１７４ｃは、ＲＯＭ１７４ｅやＲＡＭ１７４ｄを内蔵した構成となっている。また、この波形制御基板１７４は、さらにＲＯＭ１７４ｇ（図面上「ＯＲＯＭ」と図示する）を有している。例えば、サブ統合基板１６８から音響出力コマンドが波形制御基板１７４に送信されると、これを受けて波形制御基板１７４は上記のスピーカ１４，３６を駆動する処理を行う。
【０１１２】
また、この波形制御基板１７４には、当選波出力用左ポート及び当選波出力用右ポートが設けられており、これら当選波出力用左ポート及び当選波出力用右ポートを介して各々波送受装置８０ａ，８０ｂが接続されている。これら波送受装置８０ａ，８０ｂは、波形制御基板１７４の制御によって、各々当選波出力用左ポート及び当選波出力用右ポートから指示を与えることで波を出力したり、周囲のパチンコ機が出力した波を検出するようになっている。
【０１１３】
ここで上記主制御基板１５６がサブ統合基板１６８に対して送信する演出コマンドには、始動入賞を契機として実行された大当り抽選において当選しているか否かに関する当選情報（上記当選フラグに関する情報）を含んでいる。この当選情報を受け取ったサブ統合基板１６８は、この当選情報を解析した結果大当り抽選に当選していた場合、波形制御基板１７４を制御して波送受装置８０ａ，８０ｂの一方（或いは両方）から、上記波として当選していることを表す当選波を出力させるようになっている。
【０１１４】
なお、当選波としては、例えば人間の感覚によって知得することができない波を採用するのが望ましいが、人間の感覚によって知得することができる波を一部に採用してもよい。このような人間の感覚によって知得することができない波としては、超音波などの音波を挙げることができる。つまり、この波送受装置８０ａ，８０ｂは、各々複数のパチンコ機間で交換可能な情報を含めて波を出力したり、この情報を含めた波を検出するようになっている。
【０１１５】
また波形制御基板１７４は、演出制御プログラムの指示に従って、これら波送受装置８０ａ，８０ｂが各々出力する当選波の振幅を変更自在に出力すべく制御している。すなわち、この波形制御基板１７４は、大当り抽選において当選している場合（当選フラグ＝ＯＮの場合）、これら波送受装置８０ａ，８０ｂが各々出力する当選波を、遊技機列において連携して期待演出動作を実行すべきパチンコ機のうち最も端に位置すべきパチンコ機（以下「最端パチンコ機（最端遊技機）」と呼称する）までの距離に応じて決定した振幅として出力させている（振幅決定手段）。このとき波形制御基板１７４は、演出制御プログラムの指示に従って、この当選波に、出力した際の振幅の大きさに関する強度情報を含めて、当選波を波送受装置８０ａ，８０ｂに各々独立して出力させることが可能である。本実施形態において、波形制御基板１７４がこの強度情報を含めて当選波を出力しているのは、この当選波を受け取った他の遊技機が、受信した当選波の振幅の減衰量を取得する際の基準とするためである。
【０１１６】
また演出制御プログラムは、当選波の出力方向を振り分けるための抽選に用いる出力方向振分テーブルを管理している。この出力方向振分テーブルは、大当り抽選において当選している場合、当選波を、遊技機列の配列方向に沿った一方向及び他方向のいずれに出力すべきであるかに関する出力振分情報を管理している。演出制御プログラムは、大当り抽選に当選している場合、当選波を出力すべき方向として、遊技機列の配列方向に沿った一方向及び他方向のうち少なくとも一方を選択する機能を有する（出力方向選択手段）。
【０１１７】
波形制御基板１７４は、演出制御プログラムの指示に従って、これら波送受装置８０ａ，８０ｂを制御し、このように決定された出力方向に、上述のように決定された振幅で当選波を出力させる。具体的には、演出制御プログラムは、上述のように選択された出力方向が遊技機列の配列方向に沿った一方向である場合、波形制御基板１７４に対して指示を与えて波送受装置８０ａ，８０ｂのいずれか一方を制御し、その一方向に当選波を出力させる（一方向波送出手段）。一方、演出制御プログラムは、上述のように選択された出力方向が遊技機列の配列方向に沿った他方向である場合、波形制御基板１７４に対して指示を与えて波送受装置８０ａ，８０ｂのいずれか他方を制御し、その他方向に当選波を出力させる（他方向波送受手段）。また波形制御基板１７４は、これら波送受装置８０ａ，８０ｂが各々検出する周囲のパチンコ機からの当選波を解析し、この当選波の振幅を取得する。
【０１１８】
ここで、周囲のパチンコ機が出力した当選波は、パチンコ機１とその周囲のパチンコ機との距離に応じて減衰するものである。自己位置取得手段としてのサブ統合基板１６８のＣＰＵ１６８ｃは、この波形制御基板１７４によって検出された当選波の振幅の減衰量に基づいて、上記強度情報を考慮し、その減衰量から当選波の出力源までの距離を演算する機能を有する。ここでいう出力源とは、自己の内部的な抽選において当選しており、当選波を出力した周囲のパチンコ機（以下「当選パチンコ機」と呼称する）を意味している。
【０１１９】
このときＣＰＵ１６８ｃは、検出した当選波の減衰量を演算するにあたり、当選波に含まれる強度情報に基づいて、検出した当選波が元々どの程度の振幅（出力時振幅）で出力されていたのかを把握し、上記検出した当選波の振幅がこの出力時振幅に比べてどの程度減衰しているのかを演算することで、上記距離を求めている。そしてサブ統合基板１６８のＣＰＵ１６８ｃは、この演算された距離に基づいて、自己の位置から出力源までの間に配置しているパチンコ機の配列台数を算出する。
【０１２０】
一方、上記サブ統合基板１６８のＣＰＵ１６８ｃは、算出された当選パチンコ機から最端パチンコ機までの間に配列するパチンコ機１を含む各パチンコ機内における自己の位置を、上記当選波の減衰量に基づいて把握する。つまり、サブ統合基板１６８のＣＰＵ１６８ｃは、波送受装置８０ａ，８０ｂによって各々検出された当選波の振幅の減衰量が大きければ大きいほど、自己の位置が当選パチンコ機から離れていると判断する一方、検出された当選波の振幅の減衰量が小さければ小さいほど、自己の位置が当選パチンコ機に近接していると判断するのである。このようにして、サブ統合基板１６８のＣＰＵ１６８は、最端パチンコ機から当選パチンコ機までの間における自己の位置を取得する（自己位置取得手段）。
【０１２１】
そしてサブ統合基板１６８のＣＰＵ１６８ｃは、最端パチンコ機から当選パチンコ機までの各パチンコ機の配列順に従って、各パチンコ機が期待演出動作を順次実行するにあたり、最端パチンコ機から当選パチンコ機までの間における自己の位置に応じて、自己のパチンコ機が期待演出動作を実行すべき演出タイミングを取得する（タイミング決定手段）。ここで、本実施形態では、最端パチンコ機が期待演出動作の実行を完了すると、次に最端パチンコ機から当選パチンコ機に向かって１台目に配置している次のパチンコ機が期待演出動作を開始することになる。
【０１２２】
そして、このパチンコ機が期待演出動作を完了すると、隣接するその次のパチンコ機が期待演出動作を開始するという順序で、これら最端パチンコ機から当選パチンコ機までの各遊技機を含む遊技機列においては、遊技者やホール来場者の視覚に対して、期待演出動作が移動していくように遊技者などの視覚などに訴えている。
【０１２３】
ここで当選パチンコ機は、自己の内部的な抽選において当選している場合、サブ統合基板１６８（演出制御手段）の制御によって、自己の演出タイミングにおいて、それまで他のパチンコ機が実行してきた期待演出動作の演出態様とは異なる他の演出態様とした別の期待演出動作を実行している。或いは、この当選パチンコ機は、このサブ統合基板１６８の制御によって、その自己の演出タイミングにおいて、それまでの期待演出動作を実行しないようにしても良い。つまり本実施形態では、当選パチンコ機の手前までの各パチンコ機と当選パチンコ機とで、異なる演出態様を表すようになっている。一方、最端パチンコ機から当選パチンコ機の手前のパチンコ機までの各遊技機においては、当選パチンコ機における内部的な抽選に当選している場合には、サブ統合基板１６８の制御によって、自己の演出タイミング（隣接するパチンコ機に続くタイミング）にて期待演出動作を実行する。
【０１２４】
ここで、この期待演出動作としては、演出映像を駆使した視覚的な演出動作を例示することができる。つまり演出制御プログラムは、電飾制御基板１７２を制御して、この期待演出動作として、視覚的な演出動作を実行させることを挙げることができる。本実施形態においては、サブ統合基板１６８が、電飾制御基板１７２を制御して、エレクトロルミネセンス表示装置５３に演出映像を表示させることを例示している。
【０１２５】
なお、このような期待演出動作としては、これ以外にも、演出制御プログラムが、電飾制御基板１７０を制御してランプ７６によって光を出力させたり、或いは電飾制御基板１７２を制御してランプ７８によって光を出力させてもよい。また、このような期待演出動作としては、演出制御プログラムが波形制御基板１７４を制御して、スピーカ１４，３６によって音波を出力させることを挙げることもできる。
【０１２６】
本実施形態においては、サブ統合基板１６８は、当選波を受け取ると、演出制御プログラムの指示に従って、電飾制御基板１７０を制御して、期待演出動作として最初の２０００ｍｓにわたりランプ７６を点灯、消灯させたり或いは、点滅させるとともに、電飾制御基板１７２を制御して同様の時間にわたりランプ７８を点灯、消灯させたり或いは、点滅させている。このようにすると、遊技機列を構成する各遊技機において期待演出動作が開始したことを、周囲の遊技者やホール来場者に知らせることができる。
【０１２７】
本実施形態では、この期待演出動作としてこのような最初の２０００ｍｓにわたる点灯、消灯させたり或いは、点滅させる光の出力の後に表示する上記演出映像として、例えば魚群のような演出媒体が左から右へと進行する演出映像（第１演出映像）を用意するとともに、この演出媒体が右から左へと進行する演出映像（第２演出映像）を用意している。
【０１２８】
上記演出制御プログラムは、例えば当選パチンコ機が右側に位置しており、かつ、最端パチンコ機が左側に位置していると判断した場合、表示すべき演出映像として、演出媒体が左から右に進行する演出映像（第１演出映像）を選択する。その一方、この演出制御プログラムは、例えば当選パチンコ機が左側に位置しており、かつ、最端パチンコ機が右側に位置していると判断した場合、表示すべき演出映像として、演出媒体が右から左に進行する演出映像（第２演出映像）を選択する。
【０１２９】
上述のように電飾制御基板１７２においては、これら演出映像に対応したキャラクタデータが予めＲＯＭ１７２ｇに用意されている。本実施形態では、第１演出映像の表示に必要なキャラクタデータを第１演出映像データと呼称し、第２演出映像の表示に必要なキャラクタデータを第２演出映像データと呼称する。その演出制御プログラムは、上記のように定めた演出タイミングにおいて、電飾制御基板１７２に対して、表示すべき演出映像に関する指示を行い、この指示に基づく演出映像をエレクトロルミネセンス表示装置５３に表示させるようになっている。
【０１３０】
ここで本実施形態では、電飾制御基板１７２が、演出制御プログラムの制御によって、エレクトロルミネッセンス表示装置５３に演出映像を表示させるにあたり、隣接する遊技機に続くタイミングで、例えば３００ｍｓのインターバルを経て８００ｍｓにわたり演出映像を表示している。つまり、隣り合うパチンコ機においては、一方のパチンコ機が演出映像を８００ｍｓにわたり表示した後、それに続く隣のパチンコ機が３００ｍｓにわたり演出映像を表示せず、その後に８００ｍｓにわたり新たに演出映像を表示するようになる。
【０１３１】
（４．パチンコ機の動作例）
パチンコ機１は以上のような構成であり、次にパチンコ機１の動作例について説明する。
（４−１．通常遊技状態におけるパチンコ機の動作例）
まず、パチンコ機１における基本的な動作について説明する。このパチンコ機１においては、遊技者が発射ハンドル１８を操作することによって遊技球が遊技領域１２内に発射される。この遊技領域１２内には所定の釘が多数設けられており、発射された遊技球が、これらの釘によって跳ね回り遊技者にとって予測不可能な挙動を示す。
【０１３２】
この遊技領域１２内には演出装置４２に入球装置５６が設けられており、遊技領域１２内の遊技球がこの入球装置５６に入賞すると所定の入賞信号が発生する。主制御基板１５６においては、その遊技制御プログラムが液晶表示装置５０を用いた装飾図柄の変動表示の制御を開始するとともに、この入賞信号の発生を契機として所定の当り値判定用乱数を用いた抽選を実行する。
【０１３３】
具体的には、遊技制御プログラムは、例えば４ｍｓごとに１ずつインクリメントすることで、例えば０〜６７０の間で繰り返し変動する当り値判定用乱数を発生している。この遊技制御プログラムは、始動入賞を契機に、この当り値判定用乱数としてこれら０〜６７０のいずれかの値を取得する。
【０１３４】
このとき遊技制御プログラムは、この取得した当り値判定用乱数が所定の当り値に一致などすると、この大当り抽選において当選したものとし、まず当選フラグをＯＮ（１）とする。なお、本実施形態では、例えば２つの当り値が用意されているため、遊技制御プログラムは、１／３３５．５の抽選確率で当選するようになっている。
【０１３５】
遊技制御プログラムは、当選フラグに関する情報（当選情報）及び変動時間を決定し、これらを含む演出コマンドを、例えば４ｍｓごとに実行する定常処理に含まれるコマンド送信処理においてサブ統合基板１６８に送信する。なお、この変動時間とは、後述するリーチパターンなどの演出パターンを実行すべき時間に相当している。
【０１３６】
一方、サブ統合基板１６８においては、演出制御プログラムが、演出コマンドを受け取った際、リーチ演出を実行すべきか否かを決定する演出抽選を実行しており、例えば１／１１．５の確率でリーチ演出を実行するよう制御する。この演出制御プログラムは、この演出抽選の結果、リーチ演出を実行すべき場合、次のようなリーチパターン振分テーブルに基づいて、例えば４つのリーチパターンのうちどのリーチパターンを選択して実行すべきかについて抽選を実行する。
【０１３７】
図６は、リーチパターン振分テーブルの内容の一例を示す図である。
このリーチパターン振分テーブルは、演出制御プログラムが実行すべきリーチパターンの振り分けに関する情報を含んでいる。本実施形態では、このリーチパターンとして、例えばノーマルリーチ、クリスタルリーチ、黒潮リーチ及び波ダブルリーチを例示して説明する。これらのリーチパターンは、各々、その変動時間（実行時間）が１９０００ｍｓ、２１５００ｍｓ、２６０００ｍｓ及び３０５００ｍｓとなっている。
【０１３８】
演出制御プログラムは、当選フラグの内容に応じて、例えば当選フラグがＯＦＦ（０）である場合に使用するハズレ乱数値を管理しているとともに、当選フラグがＯＮ（１）である場合に使用する当り時乱数値を管理している。この演出制御プログラムは、これらハズレ時乱数値及び当り時乱数値を、例えば２ｍｓごとにカウントアップし、これらハズレ時乱数値及び当り時乱数値を各々０〜９９の間で繰り返し変動させている。
【０１３９】
この演出制御プログラムは、上記演出コマンドを受信すると、この演出コマンドに基づいて演出抽選を実行し、この演出抽選の結果、リーチ演出を実行することになった場合で、当選フラグがＯＦＦであるときにはハズレ時乱数値（例えば「０」〜「９９」）を用いてリーチパターンを選択する一方、この当選フラグがＯＮであるときには当り時乱数値（例えば「０」〜「９９」）を用いて、リーチパターンを選択する。
【０１４０】
具体的には、演出制御プログラムは、当選フラグがＯＦＦである場合において、当り時乱数値が０〜１４の範囲内ときはノーマルリーチ（変動時間１９０００ｍｓ）を選択し、当り時乱数値が１５〜２９の範囲内ときはクリスタルリーチ（変動時間２１５００ｍｓ）を選択し、当り時乱数値が３０〜６５の範囲内ときは黒潮リーチを選択し、当り時乱数値が６６〜９９（変動時間３０５００ｍｓ）の範囲内ときは波ダブルリーチを選択する。
【０１４１】
一方、演出制御プログラムは、当選フラグがＯＮである場合において、当り時乱数値が０〜５９のときはノーマルリーチを選択し、当り時乱数値が６０〜８４のときはクリスタルリーチを選択し、当り時乱数値が８５〜９４のときは黒潮リーチを選択し、当り時乱数値が９５〜９９のときは波ダブルリーチを選択する。
【０１４２】
（４−２．当選波出力予約処理）
図７は、サブ統合基板１６８における当選波出力予約処理の手順の一例を示すフローチャートである。ここで、この当選波出力予約処理は、例えば２ｍｓごとにサブ統合基板１６８のＣＰＵ１６８ｃの制御によって演出制御プログラムが実行する、割込み処理に含まれる処理である。この当選波出力予約処理は、大当り抽選において当選している場合に、既定の振幅とした当選波を出力する予約をする処理である。なお、本実施形態では、当選遊技機を含め、遊技機列において例えば７台のパチンコ機が連係して期待演出動作を実行するものとして説明する。
【０１４３】
まず、演出制御プログラムは、上記当選フラグをチェックして大当り抽選に当選しているか否かを判断し（ステップＳ１）、当選していない場合（当選フラグ＝ＯＦＦ）には当選波出力予約処理を終了する一方、当選している場合（当選フラグ＝ＯＮ）には、演出方向を決定する演出方向決定処理を実行する（ステップＳ２）。
【０１４４】
具体的には演出制御プログラムは、図８に示す演出進行方向選択テーブルを管理しており、この取得した演出進行方向用乱数値に基づいて、期待演出動作の進行方向を決定する。つまり、この演出制御プログラムは、取得した演出進行方向用乱数値に基づいて演出映像が進行すべき方向を選定しているのである。
【０１４５】
具体的には、演出制御プログラムは、例えば演出進行方向用乱数値が０〜３９である場合には、演出進行方向フラグを「０」に設定する。なお、演出進行方向フラグが「０」である場合、当選波を出力せず期待演出動作を実行させない（演出映像を表示させない）ことを示している。また演出制御プログラムは、例えば演出進行方向用乱数値が４０〜６９である場合には、演出進行方向フラグを「１」に設定する。なお、演出進行方向フラグが「１」である場合、演出映像を左方向から右方向に進行させることを表している。また演出制御プログラムは、例えば演出進行方向用乱数値が７０〜９９である場合には、演出進行方向フラグを「２」に設定する。なお、演出進行方向フラグが「２」である場合、演出映像を右方向から左方向に進行させることを表している。
【０１４６】
次に演出制御プログラムは、当選波を出力すべき方向の振り分けを決定する（ステップＳ３）。この当選波の出力方向を振り分けるにあたっては、併せて、当選波を受け取らせるべき遊技機の台数に応じた当選波の振幅も決定している。
【０１４７】
具体的には、演出制御プログラムは、例えば２ｍｓごとにカウントする出力振分用乱数値（例えば０〜９９）を発生しており、例えば当選波を出力すべきタイミングにおいてこの出力振分用乱数値を取得する。これとともに演出制御プログラムは、図９に示す出力方向振分テーブルを参照し、取得した出力振分用乱数値に応じて当選波を出力すべき方向を定めている。この出力方向振分テーブルは、取得した出力振分用乱数値（図示の乱数値に相当）ごとに、出力すべき当選波の出力方向を振り分けるための情報を含むテーブルであるとともに、当選波を到達させるべきパチンコ機の台数を定めるための抽選を実行するための情報を含むテーブルである。
【０１４８】
具体的には、この演出制御プログラムは、例えば自己のパチンコ機を含めて７台で連係して期待演出動作を実行する場合、取得した出力振分用乱数値が０〜２９であったときは、左側３台のパチンコ機と自己のパチンコ機と右側３台のパチンコ機で連係するものと設定する。また、この演出制御プログラムは、取得した出力振分用乱数値が３０〜５９であったときは、左側４台のパチンコ機と自己のパチンコ機と右側２台のパチンコ機で連係するものと設定する。また、演出制御プログラムは、取得した出力振分用乱数値が６０〜８９であったときは、左側２台のパチンコ機と自己のパチンコ機と右側４台のパチンコ機で連係するものと設定する。
【０１４９】
また、この演出制御プログラムは、取得した出力振分用乱数値が９０〜９３であったときは、左側５台のパチンコ機と自己のパチンコ機と右側１台のパチンコ機で連係するものと設定する。そして、この演出制御プログラムは、取得した出力振分用乱数値が９４〜９７であったときは、左側１台のパチンコ機と自己のパチンコ機と右側５台のパチンコ機で連係するものと設定する。
【０１５０】
また、この演出制御プログラムは、取得した出力振分用乱数値が９８であったときは、左側６台のパチンコ機と自己のパチンコ機のみで連係するものと設定する。そして、この演出制御プログラムは、取得した出力振分用乱数値が９９であったときは、自己のパチンコ機と右側６台のパチンコ機で連係するものと設定する。本実施形態では、このように演出制御プログラムが設定した当選波の出力方向及び、台数に関する情報（出力すべき当選波の振幅に関する情報）を「出力設定情報」と呼称する。この出力設定情報としては、右側に当選波を出力すべきか否かを表す右出力フラグを含んでいるとともに、左側に当選波を出力すべきか否かを表す左出力フラグを含んでいる。
【０１５１】
このうち右出力フラグは、自己のパチンコ機の右側において少なくとも１台のパチンコ機が連係して期待演出動作を実行すべき場合には「１」に設定され、この右側に連係して期待演出動作を実行すべきパチンコ機が存在しない場合には「０」に設定される。また、その一方、この左出力フラグは、自己のパチンコ機の左側において少なくとも１台のパチンコ機が連係して期待演出動作を実行すべき場合には左出力フラグを「１」に設定し、この左側に連係して期待演出動作を実行すべきパチンコ機が存在しない場合には「０」に設定される。
【０１５２】
演出制御プログラムは、右出力フラグが「１」である場合（図７のステップＳ４）、当選波右側送出バッファに当選波右出力指示コマンドを格納することで出力予約をする（ステップＳ５）。この出力予約した当選波右出力指示コマンドは、当選波を到達させるべきパチンコ機の台数に応じて振幅の大きさ（強度の一例）に関する強度情報を含んでいる。一方、この演出制御プログラムは、左出力フラグが「１」である場合（ステップＳ４）、当選波左側送出バッファに当選波左出力指示コマンドを格納することで出力予約をする（ステップＳ６）。この出力予約した当選波左出力指示コマンドは、当選波を到達させるべきパチンコ機の台数に応じて振幅（強度の一例）に関する情報を含んでいる。
【０１５３】
また演出制御プログラムは、右出力フラグ及び左出力フラグが各々「０」である場合、これら当選波右側送出バッファ及び当選波左側送出バッファに各々当選波右側出力指示コマンド及び当選波左側出力指示コマンドを格納しない。なお、本実施形態においては、これら当選波右出力指示コマンド及び当選波左出力指示コマンドを総称して「当選波出力指示コマンド」と呼称する。つまり、この場合、演出制御プログラムは当選波側出力指示コマンドの出力予約をしない。
【０１５４】
（４−３．当選波出力実行処理）
図１０は、サブ統合基板１６８における当選波出力実行処理の手順の一例を示すフローチャートである。なお、この当選波出力実行処理は、例えば２ｍｓごとにサブ統合基板１６８のＣＰＵ１６８ｃの制御によって演出制御プログラムが実行する、割込み処理に含まれる処理である。この当選波出力実行処理は、上記当選波右側送出バッファに当選波右出力指示コマンドが存在している場合、或いは、上記及び当選波左側送出バッファに当選波左出力指示コマンドが存在している場合、実際に当選波の出力を実行する処理である。
【０１５５】
まず演出制御プログラムは、当選波右側送出バッファに、当選波を右側から出力すべき旨の当選波右出力指示コマンドが存在しているか否かを判断する（ステップＳ２０）。当選波右出力指示コマンドが存在していない場合には、演出制御プログラムが当選波出力実行処理を終了する。
【０１５６】
ここで、当選波右出力指示コマンドが存在する場合には、サブ統合基板１６８の演出制御プログラムが、波形制御基板１７４に対して当選波右出力指示コマンドを出力することで波形制御基板１７４を制御し、この波形制御基板１７４が、当選波出力用右側ポートから当選波送受装置８０ｂに当選波右出力指示コマンドを与え、この当選波送受装置８０ｂに当選波を出力させる（ステップＳ２１）。なお、この当選波の振幅は、自己のパチンコ機から、遊技機列において連携して期待演出動作を実行すべき最端パチンコ機までの距離に応じて決定された振幅となっている。
【０１５７】
一方、演出制御プログラムは、当選波左側送出バッファに当選波左出力指示コマンドが存在しているか否かを判断する（ステップＳ２２）。当選波左出力指示コマンドが存在していない場合には、演出制御プログラムが当選波出力実行処理を終了する。一方、この当選波左出力指示コマンドが存在する場合には、演出制御プログラムが、波形制御基板１７４に対して当選波左指示コマンドを出力することで波形制御基板１７４を制御し、この波形制御基板１７４が、当選波出力用左側ポートから当選波送受装置８０ａに当選波出力指示コマンドを与え、この当選波送受装置８０ａに当選波を出力させる（ステップＳ２３）。ここで、この当選波の振幅は、自己の遊技機から、遊技機列において連携して期待演出動作を実行すべき最端遊技機までの距離に応じて決定された振幅となっている。なお、この当選波には、出力時における当選波の振幅に関する強度情報が含められている。
【０１５８】
（５．期待演出処理）
（５−１．当選波検出処理）
図１１は、サブ統合基板１６８が実行する当選波検出処理の手順の一例を示すフローチャートである。なお、この当選波検出処理は、例えば２ｍｓごとにサブ統合基板１６８のＣＰＵ１６８ｃの制御によって演出制御プログラムが実行する、割込み処理に含まれる処理である。この当選波検出処理は、周囲のパチンコ機が大当り抽選において当選した場合に出力した当選波を検出する処理である。
【０１５９】
まず、サブ統合基板１６８のＣＰＵ１６８ｃは、その演出制御プログラムの動作によって波形制御基板１７４を制御し、当選波送受装置８０ａ，８０ｂにそれぞれ対応した当選波左送受ポート及び当選波右送受ポート（当選波検出用ポート）を参照させる。これら当選波送受装置８０ａ，８０ｂは、それぞれ対応する当選波左送受ポート及び当選波右送受ポートを参照する（ステップＳ３０）。
【０１６０】
そして演出制御プログラムは、これら当選波左送受ポート及び当選波右送受ポートにおいて、当選波が検出されているか否かを判断する（ステップＳ３１）。ここで、これら当選波左送受ポート及び当選波右送受ポートのいずれにも当選波が検出されていないと判断されると、当選波送受処理を終了する。一方、演出制御プログラムは、これら当選波左送受ポート及び当選波右送受ポートのいずれかに当選波が到着している場合には、期待演出動作を実行すべきか否かを表す期待演出実行フラグをまずＯＦＦに初期化した後（ステップＳ３２）、この当選波の解析を行う（ステップＳ３３）。この解析内容としては、検出した当選波の振幅を取得することを挙げることができる。なお、本実施形態では、当選波の振幅を例示しているが、これに限られず、当選波の減衰が確認できればどのような要素を解析しても良い。
【０１６１】
次に演出制御プログラムは、検出された当選波が当選波左送受ポート及び当選波右送受ポートのうちどちらの当選波送受ポートを経由しているかを判断し（ステップＳ３４）、当選波右送受ポートを経由している場合には、「ＯＦＦ（０）」であった当選波右検出フラグを「ＯＮ（１）」と設定する一方（ステップＳ３５）、当選波送受用左ポートを経由している場合には、「ＯＦＦ（０）」であった当選波左検出フラグを「ＯＮ（１）」と設定する（ステップＳ３６）。これら当選波右検出フラグ及び当選波左検出フラグは、各々検出した当選波の出力源（当選パチンコ機）の方向が右であること及び左であることを表している。
【０１６２】
図１２は、演出タイミング決定処理の手順の一例を示すフローチャートである。図１３は、当選波及び減衰した当選波の振幅の一例を示す図であり、図１４は、検出された当選波の減衰量に対応した自己の位置を表すテーブルである。
【０１６３】
なお、この図１２に示す演出タイミング決定処理は、例えば２ｍｓごとにサブ統合基板１６８のＣＰＵ１６８ｃの制御によって演出制御プログラムが実行する割込み処理に含まれる処理である。この演出タイミング決定処理は、周囲のパチンコ機が大当り抽選に当選していることが判明した場合、期待演出動作を実行すべき演出タイミングを決定する処理である。
【０１６４】
まず演出制御プログラムは、上記期待演出実行フラグが「ＯＮ」であるか否かを判断し、この期待演出実行フラグが「ＯＮ」でない場合（「ＯＦＦ」である場合）、期待演出動作を実行すべきでないとして演出タイミング決定処理を終了する。一方、演出制御プログラムは、この期待演出実行フラグが「ＯＮ」である場合、期待演出動作を実行すべきであると判断し、次のように処理を進める。
【０１６５】
すなわち演出制御プログラムは、まず、上記当選波右検出フラグ及び当選波左検出フラグのいずれかが「ＯＮ」であるか否かを判断する（ステップＳ４１）。なお、図示の例においては、これら当選波右検出フラグ及び当選波左検出フラグを総称して「当選波検出フラグ」と呼称している。これら当選波右検出フラグ及び当選波左検出フラグのいずれも「ＯＮ」でない場合には、この演出タイミング決定処理を終了する一方、これら当選波右検出フラグ及び当選波左検出フラグのいずれが「ＯＮ」である場合には、図１３に示すように検出した当選波の出力波形９９ｂの振幅Ｗ１、第１検出波形９９ｃの振幅Ｗ２、第２の検出波形９９ｄの振幅Ｗ３などと、出力波形９９ａの既定の振幅Ｗ０とを比較する（ステップＳ４２）。つまり演出制御プログラムは、検出された当選波の減衰量をチェックしているのである。
【０１６６】
ここで演出制御プログラムは、例えば図１４に示すテーブルに基づいて、当選波の減衰量に対応して配列台数を判断するとともに、この配列台数に基づいて演出映像を表示する演出タイミングを設定する。ここでいう「配列台数」とは、当選波を出力した当選パチンコ機から最端パチンコ機まで遊技機列において、この当選遊技機から何台目に自己が位置しているかを表している。なお、本実施形態では、このような演出映像を、遊技機列を構成する６台のパチンコ機（当選遊技機を含めず）によって連携して期待演出動作を実行するものと例示している。
【０１６７】
具体的には、演出制御プログラムは次のようにして当選波の減衰量に基づいて演出タイミングを決定している（ステップＳ４３）。まず、図１４に示すように当選波の減衰量が０％である場合には、当選パチンコ機に極めて近接しており当選パチンコ機からの配列台数が１台目であることから、最後に（７番目）演出映像を表示すべく演出タイミングを８６００ｍｓに設定する。そして、当選波の減衰量が約１０％、２０％、３０％、４０％、５０％、６０％である場合には、各々配列が２台目、３台目、４台目、５台目、６台目及び７台目であることから、６番目（７５００ｍｓ後）、５番目（６４００ｍｓ後）、４番目（５３００ｍｓ後）、３番目（４２００ｍｓ後）、２番目（３１００ｍｓ後）及び１番目（２０００ｍｓ後）に演出映像を表示すべく演出タイミングを設定する。ここで、例えば２番目に演出映像を表示する場合を例示すると、この「３１００ｍｓ後」とは、当選パチンコ機が出力した当選波を検出した時点を基準として３１００ｍｓ後であることを意味している。
【０１６８】
ここで、演出制御プログラムは、このように演出タイミングを決定すると、例えば図示しない演出タイミング管理タイマによって、この演出タイミングを管理している。この演出管理タイミングタイマは、例えば割込み処理において２ｍｓごとにカウントアップすることで、例えば演出タイミングが３１００ｍｓ後である場合を例示すると、演出管理タイミングタイマが１５５０となるまでカウントアップするようになっている。つまり、本実施形態において各パチンコ機が期待演出動作を実行する間隔が１１００ｍｓと設定している。
【０１６９】
以上のようにして、演出制御プログラムは、当選パチンコ機から最端パチンコ機までの間に配列する遊技機列における自己の位置を取得するとともに、この自己の位置に応じて期待演出動作として、例えば最端パチンコ機から演出映像の表示を開始した場合における、自己が演出映像の表示を実行すべき演出タイミングを把握することができるのである。
【０１７０】
本実施形態では、演出制御プログラムは、期待演出実行フラグがＯＮである場合のみならず「ＯＦＦ」である場合においても、演出管理タイミングタイマが１０００となるまで、つまり最初の２０００ｍｓにわたり、電飾制御基板１７０を制御して装飾用のランプ９２を点滅させるとともに、電飾制御基板１７２を制御して装飾用ランプ７８を点滅させている。つまり、この２０００ｍｓにわたり、連係して期待演出動作を実行する遊技機列内の各パチンコ機は、連係してランプ９２などの点滅をさせて、遊技機列内の遊技者やホール来場者に、この遊技機列内において当選パチンコ機が存在することを表明しているのである。このようにすると、この期待演出動作に接した各遊技者は、遊技機列を構成している周囲のパチンコ機のいずれかにおいて大当り抽選に当選したことを知得することができる。
【０１７１】
このような各ランプ９２などの点滅が終了すると、演出制御プログラムは、波形制御基板１７２を制御してエレクトロルミネッセンス表示装置５３に表示されている背景画像を予め定められた背景画像に変化させ、遊技者やホール来場者に対して、上記期待演出動作の実行（演出映像の表示）を開始する旨を予告する。
【０１７２】
（５−２．演出映像表示処理）
図１５は、演出映像表示処理の手順の一例を示すフローチャートであり、図１６〜図２３は、それぞれ期待演出動作の一例として表示される演出映像の一例を示すイメージ図である。なお、この図１５に示す演出映像表示処理は、例えば２ｍｓごとにサブ統合基板１６８のＣＰＵ１６８ｃの制御によって、演出制御プログラムが実行する割込み処理に含まれる処理である。この演出映像表示処理は、決定された演出タイミングで演出映像を実際に表示させる処理である。
【０１７３】
まず、パチンコ機１においては、遊技者による遊技の進行に応じて様々な演出表示が実行されており、その一方で始動入賞を契機として、上記大当り抽選を実行する一方、この液晶表示装置５０において図柄の変動表示が実行されている。演出制御プログラムは、主制御基板１５６から受け取った演出コマンドに基づいて、この演出コマンドに含まれる大当り抽選の結果に応じて停止図柄を決定し、電飾制御基板１７２を制御して液晶表示装置５０に停止図柄を表示させている。
【０１７４】
またこの一方、演出制御プログラムは、自己の演出タイミングとなったかどうか、つまり、演出管理タイミングタイマが例えば「１５５０」となっているかどうかを判断する（ステップＳ５１）。次に演出制御プログラムは、当選波右検出フラグが「ＯＮ（１）」であるかどうか、つまり、検出した当選波が、右方向の出力源（当選パチンコ機）から到着したものであるかどうかを判断する（ステップＳ５２）。
【０１７５】
ここで、演出制御プログラムは、当選波が左方向から検出された場合には、右から左に向かって流れる演出映像（第１演出映像）を選択する（ステップＳ５４）。そして演出制御プログラムは、この選択した演出映像に関する表示を指示する（ステップＳ５５）。
【０１７６】
この表示の指示としては、例えば演出制御プログラムが電飾制御基板１７２に対して表示すべき演出映像を指示する。ここで電飾制御基板１７２には、上述のようにＣＲＯＭ１７２ｇや図示しないＶＤＰなどが搭載されている。このＶＤＰは、電飾制御基板１７２のＣＰＵ１７２ｃの指示に従って、このＣＲＯＭ１７２ｇから、選択された演出映像データを読み出すとともに、この読み出した演出映像データに基づく演出映像として、例えば図１６〜図１９に各々示すように第１演出映像ＳＰ１を、エレクトロルミネセンス表示装置５３に表示させる。
【０１７７】
図１６に示す表示態様においては、第１演出映像ＳＰ１の一例としての魚群の前部が表示領域右側に表示されるとともに、時間の経過に従って魚群が右から左に向かって進行し、図１７に示す表示態様のように魚群のほぼ全体が表示領域全体に現れる。さらに時間が経過すると、図１８に示す表示態様のように魚群が左に向かって進行し、この魚群のやや後部が表示領域内に表示される。そしてさらに時間が経過すると、図１９に示す表示態様のように、この魚群がさらに左に進み、この魚群の最後尾が表示される。なお、表示される演出映像に含まれる演出媒体は、図示のような魚群に限られず、その他の移動体であっても良いことはいうまでもない。
【０１７８】
一方、演出制御プログラムは、当選波が右方向から検出された場合には、左から右に向かって流れる演出映像（第２演出映像）を選択する（ステップＳ５３）。そして演出制御プログラムは、この選択した演出映像に関する表示を指示する（ステップＳ５５）。
【０１７９】
この表示の指示としては、例えば演出制御プログラムが電飾制御基板１７２に対して表示すべき演出映像を指示する。ここで電飾制御基板１７２には、上述のようにＣＲＯＭ１７２ｇや図示しないＶＤＰなどが搭載されている。このＶＤＰは、電飾制御基板１７２のＣＰＵ１７２ｃの指示に従って、このＣＲＯＭ１７２ｇから、選択された演出映像データを読み出すとともに、この読み出した演出映像データに基づく演出映像として、例えば図２０〜図２３に各々示すように第２演出映像ＳＰ２を、エレクトロルミネセンス表示装置５３に表示させる。
【０１８０】
図２０に示す表示態様においては、第２演出映像ＳＰ２の一例としての魚群の前部が表示領域左側に表示されるとともに、時間の経過に従って魚群が左から右に向かって進行し、図２１に示す表示態様のように魚群のほぼ全体が表示領域全体に現れる。さらに時間が経過すると、図２２に示す表示態様のように魚群が右に向かって進行し、この魚群のやや後部が表示領域内に表示される。そしてさらに時間が経過すると、図２３に示す表示態様のように、この魚群がさらに右に進み、この魚群の最後尾が表示される。なお、表示される第２演出映像ＳＰ２に含まれる演出媒体は、図示のような魚群に限られず、その他の移動体であっても良いことはいうまでもない。
【０１８１】
本実施形態においては、これら図１６〜図１９或いは図２０〜図２３に示す各演出映像ＳＰ１，ＳＰ２は、各々、隣り合う両パチンコ機における演出タイミングの間隔（例えば１１００ｍｓ）とすると、隣のパチンコ機が８００ｍｓにわたり演出映像を表示した後、３００ｍｓのインターバルを経て続けて、自己のパチンコ機が８００ｍｓにわたり演出映像を表示することから、これら隣のパチンコ機や自己のパチンコ機で構成される遊技機列によって、演出映像ＳＰ１，ＳＰ２のいずれかが連続的に連携して表示されるようになる。
【０１８２】
このようにすると、本実施形態によれば、隣のパチンコ機による８００ｍｓにわたる演出映像の表示が完了してから自己のパチンコ機が演出映像の表示を開始するまでの間に、３００ｍｓにわたる多少の待ち時間が生じ、自己のパチンコ機に演出映像が表示されないのが、この待ち時間によるものであるか当選しているためであるのかを判別しにくくすることで、遊技者を心理的に翻弄し、興趣が尽きないようにすることができる。
【０１８３】
（５−３．当選パチンコ機における挙動）
そして当選パチンコ機においては、演出制御プログラムが当選フラグがＯＮであることを確認した後、自己の演出タイミング、つまり最後の演出タイミング（８１００ｍｓ）において、これまでの演出映像の表示とは異なる演出態様とする。具体的には、演出制御プログラムは、これまで隣のパチンコ機などが期待演出動作としてきた演出映像の表示に代えて、例えば大当り抽選において当選したことを表す特定の演出映像を表示することを挙げることができる。
【０１８４】
またさらに、これまでの演出映像の表示とは異なる演出態様としては、例えば演出制御プログラムが本来、自己の演出タイミングで演出映像を表示すべきであるにもかかわらず、この演出映像を表示しないことを挙げることができる。このようにすると、遊技機列を構成している各遊技機の遊技者は、隣のパチンコ機が演出映像の表示を完了した後、次は自己のパチンコ機で演出映像が表示されなければ、自己のパチンコ機が大当りに当選していることを知得することができるため、自己のパチンコ機において演出映像が表示されないことを祈りつつ待ち続けることができる。
【０１８５】
（５−４．特別遊技状態におけるパチンコ機の動作例）
このように本実施形態では、遊技機列を構成するいずれかのパチンコ機において、大当り抽選に当選した場合、この遊技機列を構成する複数のパチンコ機の各遊技者に対して自己のパチンコ機が当選しているのではないかとの錯覚にも似た期待感を生じさせ、これら遊技者の遊技意欲を頻繁に高めることができる。そして、この遊技機列においては、このような期待演出動作が終了すると、当選パチンコ機の存在が明確に示され、この当選パチンコ機においては、特別遊技状態に移行するとともに、次のような特別遊技状態に特有の挙動を示す。
【０１８６】
具体的には、この特別遊技状態では、所定のラウンド数にわたりアタッカ装置６０がその開閉部材４６ａの開閉動作を実行し、この開閉動作に伴い遊技球がアタッカ装置６０に入賞しやすい状態となる。このときアタッカ装置６０に遊技球が入賞すると、主制御基板１５６が、払出制御基板１５８に対して賞球信号を出力することで、遊技者に対して賞球がなされるようになっている。この特別遊技状態では、このような遊技者に対する賞球がなされつつ、例えば演出動作に伴って波（所定の旋律など）が出力されることを含め特別な演出動作が実行される。
【０１８７】
パチンコ機１は、このようなラウンド動作が予め設定されたラウンド数にわたり繰り返した後、通常の遊技状態に戻るものの、その状態でいわゆる時短状態や確率変動状態といった遊技者にとって有利な挙動を示す場合もある。このような時短状態や確率変動状態に移行している場合には、通常の遊技の進行に伴う演出動作とは異なる特殊な演出動作を実行する。そして演出制御プログラムは、このような特別遊技状態が終了すると、上記当選フラグをＯＦＦに設定する。
【０１８８】
（６．本実施形態による有用性についての言及）
上記遊技機列は、パチンコ機が複数配列して構成されている。この遊技機列を構成する各パチンコ機１は、始動入賞を契機として大当り抽選を実行しており、各々遊技の進行に応じていつしか大当り抽選に当選する可能性がある。ここで、この遊技機列を構成するあるパチンコ機（以下「当選パチンコ機」と呼称する）において当選した場合、この当選パチンコ機は、まず、大当り抽選において当選したことを表す当選波を出力するものの、その遊技者や周囲で遊技している遊技者は、この当選波を知得することができないため、即座に、この当選を認識することができない。ここで当選パチンコ機は、遊技機列を構成するパチンコ機のうち期待演出動作を連係して実行すべき遊技機の台数に応じた振幅で当選波を出力している。
【０１８９】
一般的に、この当選波のような波が出力されると、この波は空気中を伝送された際に、その伝送距離に応じて振幅などが減衰することが知られている。パチンコ機１は、この検出した当選波について振幅の減衰量を把握することで、この減衰量に応じて自らが期待演出動作を実行すべき演出タイミングを決定し、このタイミングにおいて、自己のパチンコ機を除く他のパチンコ機のうち当選パチンコ機において内部的な抽選において当選している旨を、期待演出動作として実行する。
【０１９０】
このようにすると、例えばホールの遊技機列においては、最端パチンコ機から当選パチンコ機に向けて、これらの間に位置する各パチンコ機が、最端パチンコ機から当選パチンコ機までの各パチンコ機の配列順に従って、各演出タイミングにおいて順次期待演出動作を実行する。このため、この遊技機列においては、まず、最端パチンコ機が期待演出動作を実行し、その実行が完了すると、その隣のパチンコ機が期待演出動作を実行し、その実行が完了することを繰り返すようになる。このため、この最端パチンコ機から当選パチンコ機に向けて、各パチンコ機が連続的に順次期待演出動作を実行するようになる。そして本実施形態においては、大当り抽選において当選している場合、その当選パチンコ機においては、このような期待演出動作が実行されないようになっている。
【０１９１】
従って、各パチンコ機の遊技者は、この遊技機列の各パチンコ機が実行する期待演出動作が近づいてきたことを認識すると、この遊技機列の中に、自己のパチンコ機を含め少なくとも１台のパチンコ機が確実に当選していることを認識することができる。従って、各パチンコ機の遊技者は、この遊技機列に当選しているパチンコ機が確実に存在していることから、もしかすると自己のパチンコ機が当選しているのではないかとの都合の良い妄想を膨らませ、当選により利益を享受することが確定したかのような大きな期待感を抱きつつ待ち続けるようになる。
【０１９２】
しかも、この遊技者は、１台のパチンコ機が期待演出動作を完了して次のパチンコ機が期待演出動作を開始するたびに、自己のパチンコ機が当選している確率がさらに高くなることから、１台のパチンコ機が期待演出動作を完了するたびに当選への妄想に浸りつつさらに大きな期待を抱き、より遊技意欲を高めることができる。
【０１９３】
ところで、当選パチンコ機によって出力される当選波の振幅が仮に予め定まったものとなっていると、当選パチンコ機が内部的な抽選において当選した場合、期待演出動作を最初に実行する最端パチンコ機から当選パチンコ機までの距離（台数）が予め定まってしまうことになる。従って、遊技者やホール来場者などが、期待演出動作を最初に実行する最端遊技機がどれであるかをしばらくの間観察しつづけると、そのうち期待演出動作を最初に実行しはじめる最端パチンコ機の位置に基づいてどのパチンコ機が当選パチンコ機であるのかに関して特定することができてしまうことも考えられる。
【０１９４】
しかしながら本実施形態においては、次のようにして遊技機列内において当選パチンコ機を特定することができないようにしている。すなわち本実施形態では、当選パチンコ機が、期待演出動作をともに連係して実行すべき最も端に位置する最端パチンコ機までの配列台数を適宜変更すべく、出力する当選波の振幅及び出力方向を出力の度に変更自在としている。
【０１９５】
従って、遊技機列内における当選パチンコ機が仮に前回の当選と今回の当選とで同じであった場合においても、ともに期待演出動作を連係して実行する最端パチンコ機の位置が、前回の当選と今回の当選とで異なる可能性が高く、連係して期待演出動作を実行する各遊技機の台数に毎回規則性がなくなる。このため、周囲の遊技者やホール来場者が、仮に期待演出動作を最初に実行する最端パチンコ機の位置を発見できたとしても、遊技機列内における当選パチンコ機の位置を全く特定することができなくなる。
【０１９６】
従って本実施形態では、遊技機列内において当選パチンコ機が発生した場合、当選パチンコ機から最端パチンコ機までの間における各パチンコ機の遊技者は、遊技機列における当選パチンコ機を全く特定することができない状態において、期待演出動作を実行するパチンコ機が徐々に近寄ってくると、自分が当選しているのではないかと錯覚して、あたかも既に大当りによる利益を享受することが確実であるかのように期待しながら遊技を継続することができるようになる。このため各遊技者は、遊技に対する興趣が尽きず、遊技意欲を高めつつ継続的に遊技を継続するようになる。
【０１９７】
ここで、通常、このような遊技機列を構成するいずれか１台のパチンコ機において大当り抽選に当選する確率は低いかもしれないが、この遊技機列を構成する各パチンコ機のいずれかにおいて当選する確率は比較的高くなる。しかも、この遊技機列を構成するパチンコ機の台数が増えれば増えるほど、これに比例して、この遊技機列を構成するいずれかのパチンコ機において当選する確率は必然的に高くなる。
【０１９８】
従って本実施形態によれば、遊技機列を構成するパチンコ機の台数が多ければ多いほど、いずれかのパチンコ機において当選する頻度が高くなり、各遊技者が頻繁に期待感を抱く機会が増えるため、各遊技者の遊技意欲を高める機会をより多くするとともに、徐々に迫ってくる期待演出動作に接した遊技者の心を翻弄させ、遊技者に飽きを感じさせず興趣が尽きないようにすることができる。
【０１９９】
また本実施形態によれば、隣接するパチンコ機と物理的に接続する配線など余分なものがなくホール店員の視認性が良いことから、ホール店員が不正行為を見落としにくくすることができるとともに、不正行為そのものを抑止することができる。また本実施形態によれば、配線などの作業が不要であるため、遊技機列内にパチンコ機１などを設置する作業が容易である。
【０２００】
本実施形態では、サブ統合基板１６８の演出制御プログラムは、パチンコ機１が内部的な抽選に当選している場合、その内部的な抽選に当選していることを表す当選波を出力すべき方向として、遊技機列の配列方向に沿った一方向及び他方向のうち少なくとも一方を選択している（出力方向選択手段）。波送受装置８０ａ，８０ｂは、各々その決定された出力方向に向けて独立して当選波を出力している（一方向波送出手段、他方向波送出手段）。
【０２０１】
まず、パチンコ機が当選パチンコ機である場合においては、出力する当選波の出力方向が固定されていると、各パチンコ機が連係して期待演出動作を実行している様子を周囲の遊技者が参照した場合、一見すると、周囲の遊技者が、期待演出動作を連係するパチンコ機の数が毎回変わるものの、この出力方向においてどのパチンコ機が当選パチンコ機であるのかをおおよその範囲で特定することができてしまうおそれがある。
【０２０２】
しかしながら本実施形態においては、自らが当選パチンコ機である場合、遊技機列における各パチンコ機の配列方向に沿って選択された一方向或いは他方向を出力方向として当選波を出力するため、当選波を出力する度に出力方向が不規則になる。このため遊技機列における各遊技者は、この当選波を受けて連係して期待演出動作を実行する各パチンコ機を注意深く観察しても、各期待演出動作の実行状況からどのパチンコ機が当選パチンコ機であるかを特定することができなくなる。
【０２０３】
従って各パチンコ機の遊技者は、遊技機列を構成するいずれかのパチンコ機が期待演出動作を実行し始めると、どのパチンコ機が当選パチンコ機であるのかにういて全く認識することができず、自らのパチンコ機が当選パチンコ機であることの祈りつつ期待を膨らませて遊技を継続しつつ待ち続ける。このため本実施形態によれば、当選の度に不規則に遊技者の遊技意欲を刺激しつつ各遊技者に遊技を継続させることができる。
【０２０４】
また本実施形態では、演出タイミングの具体的な決定手法として、次のような手法を採用している。つまり、サブ統合基板１６８のＣＰＵ１６８ｃが、波送受装置８０ａ，８０ｂによって当選波が検出された場合、この当選波に関する振幅の減衰量に基づいて当選パチンコ機までの距離を演算するとともに、この当選パチンコ機までの距離に応じた各パチンコ機の配列台数に基づいて、最端パチンコ機から当選パチンコ機までの間における自己の位置を取得している（自己位置取得手段）。また、このサブ統合基板１６８のＣＰＵ１６８ｃ（タイミング決定手段）は、最端パチンコ機から当選パチンコ機までの各パチンコ機の配列順に従って、各パチンコ機が期待演出動作を順次実行するにあたり、最端パチンコ機から当選パチンコ機までの間における自己の位置に応じて、自己が期待演出動作を実行すべき演出タイミングを決定している。
【０２０５】
上記のようにパチンコ機１は、この検出した当選波について振幅の減衰量を把握することで、その出力源である当選パチンコ機からの距離を把握することができる。そして、このパチンコ機１は、この把握した当選パチンコ機までの距離に基づいて、最端パチンコ機から当選パチンコ機までの配列順における自己の位置について把握することができる。つまりパチンコ機１は、この遊技機列を構成する当選パチンコ機と最端パチンコ機との相対的な位置関係を把握することができるのである。
【０２０６】
そしてパチンコ機１は、最端パチンコ機から当選パチンコ機までの各パチンコ機の配列順に従って、各パチンコ機が期待演出動作を順次実行する場合、自らが期待演出動作を実行すべき演出タイミングを決定し、このタイミングにおいて、自己のパチンコ機を除く他のパチンコ機のうち当選パチンコ機において内部的な抽選において当選している旨を、期待演出動作として実行する。このため本実施形態よれば、遊技機列を構成しているパチンコ機１は、自己が期待演出動作を実行すべき演出タイミングを正確に取得することができるばかりでなく、その正確な演出タイミングにおいて期待演出動作を実行することができるようになる。
【０２０７】
また本実施形態では、波送受手段として、遊技機列の配列方向に沿った一方向に配列する当選パチンコ機が出力した当選波を検出する波送受装置８０ａ（波送受手段、第１波送受手段、第１当選波検出手段、波検出手段）及び、パチンコ機列の配列方向に沿ったその一方向とは逆方向に配列する当選パチンコ機が出力した当選波を検出する波送受装置８０ｂ（波送受手段、第２波送受手段、第２当選波検出手段、波検出手段）を採用しているため、次のような有用性を発揮することができる。
【０２０８】
このような構成によれば、波送受装置８０ａが当選波を検出すると、この当選波が上記一方向から出力されたものと特定することができ、当選パチンコ機が上記一方向に配置しているものと認識することができる。一方、波送受装置８０ｂが当選波を検出すると、この当選波が上記逆方向から出力されたものと特定することができ、当選パチンコ機がその一方向とは逆方向に配置しているものと認識することができる。
【０２０９】
このため本実施形態によれば、この特定された当選パチンコ機の配置方向に応じて期待演出動作を実行することができることから、各パチンコ機の遊技者に、当選パチンコ機の配置方向を認識させるものの、どのパチンコ機が当選パチンコ機であるのかについて認識させないようにすることができる。このようにすると、本実施形態によれば、遊技機列内における当選パチンコ機が存在しているものの、その当選パチンコ機が自己のパチンコ機を含めてどのパチンコ機であるかを把握できないことから遊技者を翻弄させ、この遊技者の興趣が尽きないようにして遊技意欲を維持することができる。
【０２１０】
また本実施形態では、パチンコ機１には、自己の始動入賞を契機として、上記特別図柄表示器とは別に、自己の内部的な抽選の抽選結果に応じた装飾停止図柄を表示する液晶表示装置５０（装飾図柄表示手段）が設けられているばかりでなく、波送受装置８０ａ，８０ｂによって当選波が検出された場合、期待演出動作として、自己のパチンコ機を除く他のパチンコ機のうち当選パチンコ機が大当り抽選に当選していることを示す連携図柄を表示するエレクトロルミネッセンス表示装置５３（連携図柄表示手段）が設けられているため、次のような有用性を発揮することができる。ここで、エレクトロルミネッセンス表示装置５３が表示する図柄としては、例えば数字、文字、絵、キャラクタ、背景、静止画、動画を挙げることができる。
【０２１１】
本実施形態では、遊技の進行に応じて、まず、上記特別図柄表示器には、自己のパチンコ機１における内部的な抽選結果に応じた停止図柄を表示している。これと同時に液晶表示装置５０には、自己のパチンコ機における大当り抽選結果に応じた装飾停止図柄を表示している。さらに、これとは独立して、エレクトロルミネッセンス表示装置５３には、自己のパチンコ機以外の他のパチンコ機のうちの当選パチンコ機から当選波を検出した場合、このような液晶表示装置５０の表示態様とは関係なく、期待演出動作として、自己のパチンコ機以外の当選パチンコ機における大当り抽選において当選していることを示す連携図柄が表示される。
【０２１２】
つまり本実施形態においては、この液晶表示装置５０は、自己のパチンコ機１の都合に応じて表示動作を実行しているのに対して、エレクトロルミネッセンス表示装置５３は、自己のパチンコ機以外の当選パチンコ機の都合に応じて表示動作を実行している。ここで、遊技の進行にあたり液晶表示装置５０を凝視していた遊技者は、一応、エレクトロルミネッセンス表示装置５３に表示された演出映像に気付くものの、これらに接したことによって特段遊技を阻害されることはなくなる。従って本実施形態によれば、個々の遊技者の遊技を阻害することなく、そのエレクトロルミネッセンス表示装置５３に表示した演出映像によって強いインパクトで、各遊技者に、内部的な抽選において当選しているかもしれないとの期待感を持たせ、しかも任意のタイミングで遊技意欲を享受させることができる。
【０２１３】
また本実施形態では、波送受装置８０ａは、その一方向（左方向）に向けて当選波を出力する第１当選波出力部（第１当選波出力手段）を含む一方、波送受装置８０ｂは、その一方向とは逆方向（右方向）に向けて当選波を出力する第２当選波出力部（第２当選波出力手段）を含んでいる。また電飾制御基板１７２（演出制御手段）にはＣＲＯＭ１７２ｇが搭載されており、このＣＲＯＭ１７２ｇは、視覚的な演出媒体がその一方向（左方向）に進行する表示態様で、上記連携図柄として第１演出映像を表示させるのに用いる第１演出映像画像データが予め記憶されている。さらに、このＣＲＯＭ１７２ｇは、視覚的な演出媒体が他方向（右方向）に進行する表示態様で、上記連携図柄として第２演出映像を表示させるのに用いる第２演出映像画像データが予め記憶されている。
【０２１４】
また本実施形態では、サブ統合基板１６８のＣＰＵ１６８ｃ（演出映像選択手段）は、波送受装置８０ａが他方向（右方向）から当選波を検出した場合、第１演出映像を選択すべく制御する一方、波送受装置８０ｂが一方向（左方向）から当選波を検出した場合、第２演出映像を選択すべく制御している。また、映像表示制御手段としてのＶＤＰは、サブ統合基板１６８のＣＰＵ１６８ｃによって選択された演出映像に応じて、ＣＲＯＭ１７２ｄから読み出した第１演出映像データ及び第２演出映像データの一方に基づいて、第１演出映像及び第２演出映像の一方を、演出タイミングにおいて予め定められた時間にわたりエレクトロルミネッセンス表示装置５３に表示させている。
【０２１５】
このような構成とすると、遊技機列を構成する最端パチンコ機から当選パチンコ機に向けて演出映像が進行する表示態様となるため、これら最端パチンコ機から当選パチンコ機までの各パチンコ機の遊技者は、具体的にどの遊技機が当選しているのかについては認識することができないものの、当選パチンコ機の配置方向については認識することができる。
【０２１６】
従って、本実施形態によれば、これら最端パチンコ機から当選パチンコ機までの間に配置する各パチンコ機の遊技者は、演出映像が自らに近づいていることを視認すると、当選への期待感を抱くようになるとともに、さらに演出映像が自らに近づくに連れてさらに、当選への期待が一気に高まる。
【０２１７】
このため本実施形態によれば、遊技者が自ら遊技しているパチンコ機において実際には当選していない場合においても、遊技機列を構成するいずれかの遊技機において大当り抽選（内部的な抽選）に当選する度に、毎回、沸き上がる期待感を抑制しつつも高鳴る期待を旨に遊技を継続することができる。このような本実施形態によれば、遊技者に心の落ち着きを与えず、日常的に遊技者の心を刺激することができることから、遊技者の興趣が尽きず遊技意欲を高めることができる。
【０２１８】
また本実施形態では、本体枠、この本体枠に対してヒンジ構造を介して開閉可能に装着された前面枠、前面枠に設けられたガラス枠部及び、このガラス枠部において遊技領域１２を透過して視認可能とするガラス部を備えており、このガラス部は、偏光素子による光の偏光作用を用いて第１演出映像及び第２演出映像を各々表示するエレクトロルミネッセンス表示装置５３（連携図柄表示手段）を有している。このため、次のような有用性を発揮することができる。なお、ここでいうガラス部は、いわゆるＰＰ（ポリプロピレン）、ガラス或いはアクリルを材質とする透明部材を総称したものである。また「ガラス部がエレクトロルミネッセンス表示装置５３を有する」とは、このエレクトロルミネッセンス表示装置５３がガラス部の一部を構成していることを示し、例えばガラス部がエレクトロルミネッセンス表示装置５３を内蔵していること及び、ガラス部の表面に沿って或いは裏面に沿って薄くエレクトロルミネッセンス表示装置５３が配置されていることを示している。
【０２１９】
ここでまず、一般的なパチンコ機においては、液晶表示装置５０が遊技領域における遊技者に相対して奥に設けられている場合が多い。一般的に液晶表示装置５０が配置されている遊技領域の中央には、いわゆるセンター役物とも呼ばれる演出装置４２が設けられているため、隣の遊技者は、この遊技領域の奥に設けられた液晶表示装置５０の表示内容を視認しにくくなっている。
【０２２０】
ところが本実施形態においては、演出動作実行手段の一部としてのエレクトロルミネセンス表示装置５３がガラス枠部のガラス部に設けられており、隣の遊技者が覗き込まなくても、このエレクトロルミネッセンス表示装置５３に表示されている演出映像を、隣の遊技者から視認しやすい構成となっている。このため本実施形態におけるパチンコ機１では、例えば隣のパチンコ機がエレクトロルミネッセンス表示装置５３に演出映像を表示した場合、その隣の遊技者が演出映像を視認しやすくなる。この隣の遊技者は、この演出映像に接したことにより、自己のパチンコ機が当選しているかもしれないとの淡い期待を抱きつつ期待感を高めることができる。しかも、この演出映像は、これら遊技者のみならずホール来場者も視認でき、これら遊技者は、これらホール来場者の注目を浴びるとともに当選によって利益を享受できるという優越感を感じつつ遊技を継続することができる。
【０２２１】
また本実施形態においては、サブ統合基板１６８は、遊技機列を構成する隣のパチンコ機による演出映像の表示が完了してから、仮に演出媒体の進行速度で隣り合うパチンコ機間の距離（例えば台間サンド６９の幅のみならず、隣り合う両パチンコ機のエレクトロルミネッセンス表示装置５３間の距離）を進行したと想定した場合の通過時間にわたり、その演出映像の表示開始を規制した後、この演出映像の表示を開始している。このようにすると、次のような有用性を発揮することができる。
【０２２２】
この遊技機列においては、隣のパチンコ機による演出映像（上記第１演出映像及び第２演出映像のいずれか一方）の表示が完了した後、次は自己のパチンコ機による演出映像の表示が開始されるが、本実施形態では、その隣のパチンコ機による演出映像の表示が完了してから自己のパチンコ機による演出映像の表示が開始されるまでに、待ち時間が存在している。
【０２２３】
このため本実施形態においては、隣のパチンコ機による演出映像の表示が完了すると、その表示待ち時間において遊技者が、次に自己のパチンコ機において演出映像の表示が開始されるか否かに関して妄想を繰り返すことで心理的に翻弄されながら、演出映像が表示されないことを祈りつつ待ち続けるようになる。この遊技者は、この表示待ち時間にわたり、自己のパチンコ機が内部的な抽選に当選しているのではなかと期待を込めて待ち続けることから、遊技に対する興趣が尽きず、遊技意欲を維持することができる。
【０２２４】
また本実施形態では、上記エレクトロルミネッセンス表示装置５３は、液晶表示装置５０よりも遊技者側に配置している。このようにすると、遊技者は、液晶表示装置５０よりもエレクトロルミネッセンス表示装置５３に近接しているため、遊技の進行に応じた液晶表示装置５０の表示よりも、そのエレクトロルミネッセンス表示装置５３に突然表示された第１演出映像及び第２演出映像（連携図柄）に確実に気付きやすくなる。このため本実施形態によれば、遊技機列内のいずれかのパチンコ機が大当り抽選に当選したことを、各遊技者に確実に認識させるとともに、その当選したのがあたかも自分であるかのように各遊技者に錯覚を与えて深い期待感に浸らせることができる。
【０２２５】
また本実施形態では、エレクトロルミネッセンス表示装置５３は、その表示領域が液晶表示装置５０の表示領域よりも広くなっている。このようにすると、遊技の進行に応じた液晶表示装置５０の表示よりも、そのエレクトロルミネッセンス表示装置５３による第１演出映像及び第２演出映像の表示が目立つため、このようにエレクトロルミネッセンス表示装置５３に第１演出映像（連携図柄）又は第２演出映像（連携図柄）が表示された場合、仮に遊技中であっても各遊技者が確実に気付くようになる。このため本実施形態によれば、遊技機列内のいずれかのパチンコ機が大当り抽選に当選したことを、各遊技者に確実に認識させるとともに、その当選したのがあたかも自分であるかのように各遊技者に錯覚を与えて深い期待感に浸らせることができる。
【０２２６】
また本実施形態においては、上記当選波が音波であると、次のような有用性を発揮することができる。まず、一般的に音波は、光に比べてそれほど指向性がないことが知られている。仮にこのような光を用いた当選波を利用しようとすると、各パチンコ機１に受光器及び発光器を搭載する必要がある。仮にこのようにすると、隣り合うパチンコ機においては、光の指向性を考慮して互いに発光器及び受光器の向きを位置合わせる必要があるため、ホールにパチンコ機を設置する際の手間が掛かってしまうことも考えられる。
【０２２７】
しかしながら、このパチンコ機１は、そもそも発光器及び受光器が不要であることから、ホールにおける各遊技機の設置にあたり、この光の発光器及び受光器の向きを正確に位置合わせる必要がなくなる。そしてパチンコ機１は、当選波として音波を用いており音波は指向性が比較的ないことから、波送受装置８０ａ，８０ｂの向きを厳密に設定する必要がなくなる。従って、当選波として音波を用いるパチンコ機１は、ホールに設置の際の手間を少なくし、作業の手間を少なくして作業を容易にすることができる。また本実施形態では、当選波として音波を利用していることから、隣接する他のパチンコ機と配線などによって物理的に接続されていなくても、隣接する他のパチンコ機との間で通信を行うことができる。
【０２２８】
（７．その他の実施形態についての言及）
以上は一実施形態についての説明であるが、本発明の実施の形態がこれに制約されることはない。以下に、その他の実施形態についていくつか例を挙げて言及する。上記実施形態の各構成は、上述のような形態のみならず、適宜組み合わせを変更することができる。また当選波としては音波を採用するのが望ましいが、人体への影響が及ばない程度であれば電磁波を採用してもよい。ここでいう「音波」としては、空気などの媒質を経由して伝達される可聴周波、超低周波、超音波などの音波、振動を採用しても良い。
【０２２９】
例えば上記実施形態では、波送受装置８０ａ，８０ｂが各々当選波を出力する機能を有しているのみならず、遊技機列を構成する他のパチンコ機が出力した当選波を検出する機能を有している形態を例示しているが、これに限られない。
【０２３０】
つまり、本実施形態は、これら波送受装置８０ａ，８０ｂが各々当選波を出力する機能のみを有しており（波送出手段）、パチンコ機１が、大当り抽選において当選した場合、遊技機列を構成している周囲のパチンコ機に対して当選波を出力することで、この周囲のパチンコ機に上記期待演出動作を実行させる機能のみを有している形態であってもよい。また、本実施形態は、これら波送受装置８０ａ，８０ｂが各々周囲のパチンコ機が出力した当選波を検出する機能のみを有しており（波検出手段）、遊技機列を構成しているいずれかのパチンコ機が大当り抽選において当選して当選波を出力した場合、その当選したパチンコ機の周囲に配置しているパチンコ機１が、この当選波を検出して周囲のパチンコ機と連携して期待演出動作を実行する機能のみを有する形態であってもよい。
【０２３１】
また上記実施形態においては、遊技機列を構成する各パチンコ機が期待演出動作として演出映像を連携して表示する形態を採用しているが、その代わりに或いは併せて、これら各パチンコ機に連携して枠ランプ２７及び装飾用ランプ７８から各々光を出力したり、上部スピーカ２９及び下部スピーカ１４から各々音を出力したり、液晶表示装置５０によって映像を表示するようにしても良い。
【０２３２】
また本実施形態では、遊技機列を構成する各パチンコ機が連携して実行する期待演出動作として、エレクトロルミネッセンス表示装置５３に魚群などの演出映像を表示する形態を採用しているが、これに限られず、その他の移動体を表示する形態を採用しても良い。
【図面の簡単な説明】
【０２３３】
【図１】本発明の遊技機の実施形態としてのパチンコ機が複数で遊技機列を構成している様子を簡素化して表した平面図である。
【図２】図１に示すパチンコ機の構成例を示す正面図である。
【図３】図２に示すパチンコ機の前面枠や本体枠を開放した状態を示す斜視図である。
【図４】遊技盤の正面図である。
【図５】パチンコ機の動作を制御するための電気的な構成を概略的に示す図である。
【図６】リーチパターン振分テーブルの内容の一例を示す図である。
【図７】当選波出力予約処理の手順の一例を示すフローチャートである。
【図８】演出進行方向選択テーブルの内容の一例を示す図である。
【図９】出力方向振分テーブルの内容の一例を示す図である。
【図１０】当選波出力実行処理の手順の一例を示すフローチャートである。
【図１１】当選波検出処理の手順の一例を示すフローチャートである。
【図１２】演出タイミング決定処理の手順の一例を示すフローチャートである。
【図１３】出力した当選波の波形及び検出された当選波の波形の一例を示す図である。
【図１４】当選波の減衰量に応じた配列台数及び演出タイミングの一例を示す図である。
【図１５】演出映像表示処理の手順の一例を示すフローチャートである。
【図１６】演出映像の表示態様の一例を示す図である。
【図１７】演出映像の表示態様の一例を示す図である。
【図１８】演出映像の表示態様の一例を示す図である。
【図１９】演出映像の表示態様の一例を示す図である。
【図２０】演出映像の表示態様の一例を示す図である。
【図２１】演出映像の表示態様の一例を示す図である。
【図２２】演出映像の表示態様の一例を示す図である。
【図２３】演出映像の表示態様の一例を示す図である。
【符号の説明】
【０２３４】
１  パチンコ機（遊技機）
１４  スピーカ（演出動作実行手段）
１８  発射ハンドル（発射手段）
５０  液晶表示装置（演出動作実行手段）
５３  エレクトロルミネセンス表示装置（演出動作実行手段、連携図柄表示手段）
６０  特別図柄表示装置（図柄表示手段）
６４  入賞スイッチ（入賞検出手段）
８０ａ  波送受装置（波送受手段、第１波送受手段、第１当選波検出手段、第１当選波出力手段、波送出手段、波検出手段、一方向波送出手段）
８０ｂ  波送受装置（波送受手段、第２波送受手段、第２当選波検出手段、第２当選波出力手段、波送出手段、波検出手段、他方向波送出手段）
１５６  主制御基板（遊技制御手段）
１６８  サブ統合基板（演出制御手段）
１６８ｃ  ＣＰＵ（自己位置取得手段、出力方向選択手段、振幅決定手段、タイミング決定手段、演出映像選択手段）
１７２  電飾制御基板（演出制御手段）
【図１】
2007252575.tif 000003
【図２】
2007252575.tif 000004
【図３】
2007252575.tif 000005
【図４】
2007252575.tif 000006
【図５】
2007252575.tif 000007
【図６】
2007252575.tif 000008
【図７】
2007252575.tif 000009
【図８】
2007252575.tif 000010
【図９】
2007252575.tif 000011
【図１０】
2007252575.tif 000012
【図１１】
2007252575.tif 000013
【図１２】
2007252575.tif 000014
【図１３】
2007252575.tif 000015
【図１４】
2007252575.tif 000016
【図１５】
2007252575.tif 000017
【図１６】
2007252575.tif 000018
【図１７】
2007252575.tif 000019
【図１８】
2007252575.tif 000020
【図１９】
2007252575.tif 000021
【図２０】
2007252575.tif 000022
【図２１】
2007252575.tif 000023
【図２２】
2007252575.tif 000024
【図２３】
2007252575.tif 000025